(57)【要約】【課題】コンテンツ同士の関連を辿る場合、その辿ったコンテンツ同士の関連をひと目で知る。【解決手段】派生コンテンツ検索部５７は、第１のコンテンツに繋がりのある第２のコンテンツを検索する。表示制御部５５は、第１のコンテンツを示す第１の画像または第１の文字および第２のコンテンツを示す第２の画像または第２の文字、並びに第１のコンテンツと第２のコンテンツとの繋がりの情報によるコンテンツの検索の履歴の表示を制御する。本発明は、パーソナルコンピュータ、携帯電話機などのモバイル機器、またはセットトップボックスなどの据え置き型機器に適用できる。【選択図】図２
2008197924.tif 000002
【特許請求の範囲】
【請求項１】
第１のコンテンツに繋がりのある第２のコンテンツを検索する検索手段と、
前記第１のコンテンツを示す第１の画像または第１の文字および前記第２のコンテンツを示す第２の画像または第２の文字、並びに前記第１のコンテンツと前記第２のコンテンツとの繋がりの情報によるコンテンツの検索の履歴の表示を制御する表示制御手段と
を備える表示制御装置。
【請求項２】
前記表示制御手段は、それぞれサムネイル画像である前記第１の画像および前記第２の画像、並びに前記第１のコンテンツと前記第２のコンテンツとの繋がりの情報によるコンテンツの検索の履歴の表示を制御する
請求項１に記載の表示制御装置。
【請求項３】
前記表示制御手段は、前記第１の画像または前記第１の文字と前記第２の画像または前記第２の文字との繋がりを示す画像をさらに加えたコンテンツの検索の履歴の表示を制御する
請求項１に記載の表示制御装置。
【請求項４】
前記検索手段は、前記第１のコンテンツに付与されているメタデータと同じメタデータが付与されている前記第２のコンテンツを検索する
請求項１に記載の表示制御装置。
【請求項５】
前記検索手段は、前記第２のコンテンツに繋がりのある第３のコンテンツを検索し、
前記表示制御手段は、前記第１の画像または前記第１の文字、前記第２の画像または前記第２の文字、および前記第３のコンテンツを示す第３の画像または第３の文字、前記第１のコンテンツと前記第２のコンテンツとの繋がりの情報、並びに前記第２のコンテンツと前記第３のコンテンツとの繋がりの情報によるコンテンツの検索の履歴の表示を制御する
請求項１に記載の表示制御装置。
【請求項６】
前記第１のコンテンツの前記第１の画像または前記第１の文字が第１のレイヤに配置され、前記第２のコンテンツの前記第２の画像または前記第２の文字が第２のレイヤに配置され、前記第１の画像または前記第１の文字および前記第２の画像または前記第２の文字と共に、前記第１のコンテンツと前記第２のコンテンツとの繋がりの情報を示すテキストが第３のレイヤに配置されている３次元の表示モデルを生成する生成手段をさらに備え、
前記表示制御手段は、前記表示モデルを用いて、前記第１の画像または前記第１の文字、前記第２の画像または前記第２の文字、および前記第１のコンテンツと前記第２のコンテンツとの繋がりの情報を示すテキストによるコンテンツの検索の履歴の表示を制御する
請求項１に記載の表示制御装置。
【請求項７】
前記表示制御手段は、前記第１のコンテンツと前記第２のコンテンツと関連する事項であるカテゴリと、前記カテゴリの具体的な内容とを示す繋がりの情報によるコンテンツの検索の履歴の表示を制御する
請求項１に記載の表示制御装置。
【請求項８】
前記検索手段は、前記第１のコンテンツおよび前記第２のコンテンツに付与されているメタデータの全部またはその一部によって、前記第１のコンテンツに繋がりのある前記第２のコンテンツを検索する
請求項１に記載の表示制御装置。
【請求項９】
前記表示制御手段は、コンテンツの検索の履歴の２次元の画像による表示を制御し、前記検索手段によって、前記第２のコンテンツを検索する場合、コンテンツを検索するための３次元の画像の表示を制御する
請求項１に記載の表示制御装置。
【請求項１０】
第１のコンテンツに繋がりのある第２のコンテンツを検索し、
前記第１のコンテンツを示す第１の画像または第１の文字および前記第２のコンテンツを示す第２の画像または第２の文字、並びに前記第１のコンテンツと前記第２のコンテンツとの繋がりの情報によりコンテンツの検索の履歴を表示する
ステップを含む表示方法。
【請求項１１】
第１のコンテンツに繋がりのある第２のコンテンツを検索し、
前記第１のコンテンツを示す第１の画像または第１の文字および前記第２のコンテンツを示す第２の画像または第２の文字、並びに前記第１のコンテンツと前記第２のコンテンツとの繋がりの情報によるコンテンツの検索の履歴の表示を制御する
ステップを含む表示制御処理をコンピュータに行わせるプログラム。
【発明の詳細な説明】
【技術分野】
【０００１】
本発明は表示制御装置、表示方法、およびプログラムに関し、特に、コンテンツに関する情報を表示できるようにした表示制御装置、表示方法、およびプログラムに関する。
【背景技術】
【０００２】
静止画像、動画像、または音楽などの多数のコンテンツを通信回線を介してダウンロードしたり、多数のコンテンツを保存したりする機器が利用されるようになってきた。
【０００３】
コンテンツをダウンロードする場合、選択したコンテンツに関連するコンテンツが推薦されるときがある。また、保存している多数のコンテンツの中から、再生しようとするコンテンツを選択する場合、注目しているコンテンツに関連するコンテンツの情報を表示するようにしているものもある。
【０００４】
従来、表示領域を１つの階層に属するデータを表すデータアイコンを表示する領域と子の階層を表示する領域とに分離し、階層の深さに対応して、データアイコンの大きさを階層が深い程小さく、またデータアイコンを階層が深い程簡略化し、子の階層は親の階層を表す背景内に表示され、該背景は階層が深い程濃い色で表示され、所望の階層の表示領域を指示して所定の操作をすることで、所望の階層をズームアップし、所定の操作に対応してズームアップされた階層から親の階層へズームアウトするようにしているものもある（例えば、特許文献１参照）。
【０００５】
また、あるオブジェクトが他のオブジェクトに含まれる場合、含まれる方のオブジェクトが、含む方のオブジェクトを切り取るような形で重なり合うように表示され、含む方のオブジェクトに対する含まれる方のオブジェクの配置方向を常に一定とし、含む方のオブジェクトである板状のオブジェクトの１つのオブジェクト上に配置された含まれる方のオブジェクトの数が一定数を超えた場合、リーフに該当する含まれるオブジェクトが、ノードに該当する含まれるオブジェクトにして対して展開方向反対側に２列に配置されるようにしているものもある（特許文献２参照）。
【０００６】
さらに、再生できるメディアの種類を示した複数の機能アイコンからなる機能アイコン配列と、再生できるコンテンツの項目を示した複数のコンテンツアイコンからなるコンテンツアイコン配列とを、メニュー画面の略中央において交差させる形で表示し、機能アイコン配列とコンテンツアイコン配列が交差する交差領域に表示される機能アイコンである動画アイコンは、他の機能アイコンと異なる色彩で拡大表示され、コンテンツアイコン配列には、各コンテンツの階層構造が視覚的に表現されるようにしているものもある（特許文献３参照）。
【０００７】
【特許文献１】特開平８−２６３２５５号公報
【０００８】
【特許文献２】特開平１０−３１２３９２号公報
【０００９】
【特許文献３】特開２００６−４２９２号公報
【発明の開示】
【発明が解決しようとする課題】
【００１０】
しかしながら、多数のコンテンツから、コンテンツ同士の関連を辿って、コンテンツを選択する場合、コンテンツを選択するための画面からは、これまでに辿ったコンテンツ同士の関連を知ることができなかった。
【００１１】
本発明は、このような状況に鑑みてなされたものであり、コンテンツ同士の関連を辿る場合、その辿ったコンテンツ同士の関連をひと目で知ることができるようにするものである。
【課題を解決するための手段】
【００１２】
本発明の一側面の表示制御装置は、第１のコンテンツに繋がりのある第２のコンテンツを検索する検索手段と、前記第１のコンテンツを示す第１の画像または第１の文字および前記第２のコンテンツを示す第２の画像または第２の文字、並びに前記第１のコンテンツと前記第２のコンテンツとの繋がりの情報によるコンテンツの検索の履歴の表示を制御する表示制御手段とを備える。
【００１３】
前記表示制御手段には、それぞれサムネイル画像である前記第１の画像および前記第２の画像、並びに前記第１のコンテンツと前記第２のコンテンツとの繋がりの情報によるコンテンツの検索の履歴の表示を制御させることができる。
【００１４】
前記表示制御手段には、前記第１の画像または前記第１の文字と前記第２の画像または前記第２の文字との繋がりを示す画像をさらに加えたコンテンツの検索の履歴の表示を制御させることができる。
【００１５】
前記検索手段には、前記第１のコンテンツに付与されているメタデータと同じメタデータが付与されている前記第２のコンテンツを検索させることができる。
【００１６】
前記検索手段には、前記第２のコンテンツに繋がりのある第３のコンテンツを検索させ、前記表示制御手段には、前記第１の画像または前記第１の文字、前記第２の画像または前記第２の文字、および前記第３のコンテンツを示す第３の画像または第３の文字、前記第１のコンテンツと前記第２のコンテンツとの繋がりの情報、並びに前記第２のコンテンツと前記第３のコンテンツとの繋がりの情報によるコンテンツの検索の履歴の表示を制御させることができる。
【００１７】
前記第１のコンテンツの前記第１の画像または前記第１の文字が第１のレイヤに配置され、前記第２のコンテンツの前記第２の画像または前記第２の文字が第２のレイヤに配置され、前記第１の画像または前記第１の文字および前記第２の画像または前記第２の文字と共に、前記第１のコンテンツと前記第２のコンテンツとの繋がりの情報を示すテキストが第３のレイヤに配置されている３次元の表示モデルを生成する生成手段をさらに設け、前記表示制御手段には、前記表示モデルを用いて、前記第１の画像または前記第１の文字、前記第２の画像または前記第２の文字、および前記第１のコンテンツと前記第２のコンテンツとの繋がりの情報を示すテキストによるコンテンツの検索の履歴の表示を制御させることができる。
【００１８】
前記表示制御手段には、前記第１のコンテンツと前記第２のコンテンツと関連する事項であるカテゴリと、前記カテゴリの具体的な内容とを示す繋がりの情報によるコンテンツの検索の履歴の表示を制御させることができる。
【００１９】
前記検索手段には、前記第１のコンテンツおよび前記第２のコンテンツに付与されているメタデータの全部またはその一部によって、前記第１のコンテンツに繋がりのある前記第２のコンテンツを検索させることができる。
【００２０】
前記表示制御手段には、コンテンツの検索の履歴の２次元の画像による表示を制御し、前記検索手段によって、前記第２のコンテンツを検索する場合、コンテンツを検索するための３次元の画像の表示を制御させることができる。
【００２１】
本発明の一側面の表示方法は、第１のコンテンツに繋がりのある第２のコンテンツを検索し、前記第１のコンテンツを示す第１の画像または第１の文字および前記第２のコンテンツを示す第２の画像または第２の文字、並びに前記第１のコンテンツと前記第２のコンテンツとの繋がりの情報によりコンテンツの検索の履歴を表示するステップを含む。
【００２２】
本発明の一側面のプログラムは、第１のコンテンツに繋がりのある第２のコンテンツを検索し、前記第１のコンテンツを示す第１の画像または第１の文字および前記第２のコンテンツを示す第２の画像または第２の文字、並びに前記第１のコンテンツと前記第２のコンテンツとの繋がりの情報によるコンテンツの検索の履歴の表示を制御するステップを含む表示制御処理をコンピュータに行わせる。
【００２３】
本発明の一側面においては、第１のコンテンツに繋がりのある第２のコンテンツが検索され、前記第１のコンテンツを示す第１の画像または第１の文字および前記第２のコンテンツを示す第２の画像または第２の文字、並びに前記第１のコンテンツと前記第２のコンテンツとの繋がりの情報によりコンテンツの検索の履歴が表示される。
【発明の効果】
【００２４】
以上のように、本発明の一側面によれば、コンテンツに関する情報を表示させることができる。
【００２５】
また、本発明の一側面によれば、コンテンツ同士の関連を辿る場合、その辿ったコンテンツ同士の関連をひと目で知ることができる。
【発明を実施するための最良の形態】
【００２６】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２７】
本発明の一側面の表示制御装置は、第１のコンテンツに繋がりのある第２のコンテンツを検索する検索手段（例えば、図２の派生コンテンツ検索部５７）と、前記第１のコンテンツを示す第１の画像または第１の文字および前記第２のコンテンツを示す第２の画像または第２の文字、並びに前記第１のコンテンツと前記第２のコンテンツとの繋がりの情報によるコンテンツの検索の履歴の表示を制御する表示制御手段（例えば、図２の表示制御部５５）とを備える。
【００２８】
前記第１のコンテンツの前記第１の画像または前記第１の文字が第１のレイヤに配置され、前記第２のコンテンツの前記第２の画像または前記第２の文字が第２のレイヤに配置され、前記第１の画像または前記第１の文字および前記第２の画像または前記第２の文字と共に、前記第１のコンテンツと前記第２のコンテンツとの繋がりの情報を示すテキストが第３のレイヤに配置されている３次元の表示モデルを生成する生成手段（例えば、図２の３次元モデル生成部５４）をさらに設け、前記表示制御手段には、前記表示モデルを用いて、前記第１の画像または前記第１の文字、前記第２の画像または前記第２の文字、および前記第１のコンテンツと前記第２のコンテンツとの繋がりの情報を示すテキストによるコンテンツの検索の履歴の表示を制御させることができる。
【００２９】
本発明の一側面の表示方法およびプログラムがコンピュータに行わせる表示制御処理は、第１のコンテンツに繋がりのある第２のコンテンツを検索し（例えば、図２９のステップＳ１１０）、前記第１のコンテンツを示す第１の画像または第１の文字および前記第２のコンテンツを示す第２の画像または第２の文字、並びに前記第１のコンテンツと前記第２のコンテンツとの繋がりの情報によりコンテンツの検索の履歴を表示する（例えば、図３３のステップＳ１９０）ステップを含む。
【００３０】
図１は、本発明の一実施の形態の表示制御装置の一例であるパーソナルコンピュータのハードウェアの構成を示すブロック図である。パーソナルコンピュータにおいて、CPU（central processing unit）１１，ROM（read only memory）１２，RAM（random access memory）１３は、バス１４により相互に接続されている。
【００３１】
バス１４には、さらに、入出力インタフェース１５が接続されている。入出力インタフェース１５には、キーボード、マウス、マイクロホン、またはタッチパネルなどよりなる入力部１６、画像などを表示するかまたは音声を出力する出力部１７、記録媒体の一例であるハードディスクドライブ１８、ネットワークインタフェースなどよりなる通信部１９、磁気ディスク、光ディスク、光磁気ディスク、或いは半導体メモリなどのリムーバブルメディア２１を駆動するドライブ２０が接続されている。
【００３２】
出力部１７は、LCD（liquid crystal display）などのディスプレイからなる表示部３１およびスピーカ３２などよりなる。
【００３３】
以上のように構成されるコンピュータでは、CPU１１が、例えば、ハードディスクドライブ１８に記憶されているプログラムを、入出力インタフェース１５及びバス１４を介して、RAM１３にロードして実行することにより、後述する一連の処理が行われる。
【００３４】
コンピュータの一例であるCPU１１が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア２１に記録して、あるいは、ローカルエリアネットワーク、インターネット、デジタル衛星放送といった、有線または無線の伝送媒体を介して提供される。
【００３５】
そして、プログラムは、リムーバブルメディア２１をドライブ２０に装着することにより、入出力インタフェース１５を介して、ハードディスクドライブ１８に記憶することで、パーソナルコンピュータにインストールすることができる。また、プログラムは、有線または無線の伝送媒体を介して、通信部１９で受信し、ハードディスクドライブ１８に記憶することで、パーソナルコンピュータにインストールすることができる。その他、プログラムは、ROM１２やハードディスクドライブ１８にあらかじめ記憶しておくことで、コンピュータにあらかじめインストールしておくことができる。
【００３６】
図２は、プログラムを実行するパーソナルコンピュータの機能の構成の一例を示すブロック図である。パーソナルコンピュータがプログラムを実行することにより、入力部１６を制御する入力制御部５１、モード決定部５２、モデルパラメータ決定部５３、３次元モデル生成部５４、表示部３１を制御する表示制御部５５、ジャンル別コンテンツ選択部５６、派生コンテンツ検索部５７、履歴記憶部５８、再生部５９、通信部１９を制御する通信制御部６０、メタデータデータベース６１、お気に入りデータベース６２、およびコンテンツデータベース６３が実現される。
【００３７】
入力制御部５１は、入力部１６のドライバであるプログラムが実行されることにより実現され、キーボードまたはタッチパネルなどよりなる入力部１６への使用者の操作に応じたデータを各部に供給する。
【００３８】
モード決定部５２は、パーソナルコンピュータのモードをトップページ表示モード、派生検索モード、再生モード、集約モード、または俯瞰モードのいずれかに決定する。モードの詳細は後述する。
【００３９】
モデルパラメータ決定部５３は、コンテンツのサムネイル画像またはメタデータなどの、コンテンツに関する情報を表示するための３次元のモデル（以下、３次元モデルと称する）を特定するための、パラメータを決定する。
【００４０】
また、サムネイル画像は、コンテンツを示す画像の一例であり、例えば、コンテンツに含まれる画像から生成されるようにしても、いわゆる、ジャケット写真などから生成されるようにしてもよい。
【００４１】
なお、３次元のモデルを構成する画像は、コンテンツを示すものであれば良く、サムネイル画像に限るものではない。
【００４２】
以下、コンテンツを示す画像として、サムネイル画像を例に説明する。
【００４３】
ここで、コンテンツは、静止画像、動画像、音楽（音声）、書籍（の画像およびテキスト）などの、使用者にとって有用なデータである。
【００４４】
例えば、パラメータは、コンテンツを特定する情報、静止画像であるサムネイル画像、縮小された動画像、若しくはテキストなどのモデルの種類を特定する情報、モデルとして用いるサムネイル画像などを特定する情報、後述するラインに配置されるサムネイル画像などのモデルの数などである。モデルパラメータ決定部５３は、決定したパラメータを３次元モデル生成部５４に供給する。
【００４５】
モデルパラメータ決定部５３によりパラメータが決定される３次元モデルは、１または複数のコンテンツのモデルから構成される。
【００４６】
コンテンツのモデルとは、コンテンツのサムネイル画像、動画像であるコンテンツの縮小された動画像、コンテンツに関する情報（例えば、コンテンツに付与されている解説のメタデータ）を示すテキスト、１若しくは複数のコンテンツに関係する情報（例えば、後述するカテゴリ）を示すテキスト、または複数のモデルのまとまりを示すためのモデルなどをいう。
【００４７】
３次元モデル生成部５４は、モデルパラメータ決定部５３から供給されたパラメータを基に、コンテンツのサムネイル画像またはメタデータなどを表示するための３次元モデルを生成する。例えば、３次元モデルは、VRML（virtual reality modeling language）によって記述される。３次元モデル生成部５４は、生成した３次元モデルを表示制御部５５に供給する。詳細は後述するが、例えば、３次元モデル生成部５４は、所定のコンテンツを示すサムネイル画像などの画像またはそのコンテンツを示す文字が所定のレイヤに配置され、所定のコンテンツに関連する他のコンテンツを示すサムネイル画像などの画像または他のコンテンツを示す文字が、他のレイヤに配置されている３次元の表示モデルを生成する。
【００４８】
表示制御部５５は、表示部３１のドライバであるプログラムが実行されることにより実現され、３次元モデルを用いて、LCDである表示部３１に、コンテンツのサムネイル画像またはメタデータなどを表示させる。例えば、表示制御部５５は、３次元モデルを描画して、描画した３次元モデルを表示させることにより、コンテンツのサムネイル画像またはメタデータなどを表示部３１に表示させる。
【００４９】
例えば、表示制御部５５は、３次元モデル生成部５４において生成された表示モデルを用いて、所定のコンテンツを示す画像または文字および所定のコンテンツに関連する他のコンテンツを示す画像または文字の表示を制御する。
【００５０】
または、コンテンツの検索の履歴を表示する場合、例えば、表示制御部５５は、所定のコンテンツを示す所定の画像およびその所定のコンテンツに繋がりのある他のコンテンツを示す他の画像、並びにその所定のコンテンツと他のコンテンツとの繋がりの情報によるコンテンツの検索の履歴の表示を制御する。
【００５１】
ジャンル別コンテンツ選択部５６は、トップページ表示モードにおいて、入力部１６への使用者の操作に応じ、使用者により選択されたジャンルに属するコンテンツを選択する。
【００５２】
派生コンテンツ検索部５７は、派生検索モードにおいて、入力部１６への使用者の操作に応じ、使用者により選択されたコンテンツに関連するコンテンツを検索する。例えば、派生コンテンツ検索部５７は、コンテンツに付与されているメタデータの全部またはその一部によって、所定のコンテンツに関連するコンテンツを検索する。
【００５３】
以下、検索されるコンテンツであって、使用者により選択されたコンテンツに関連するコンテンツを派生コンテンツとも称する。また、以下、派生コンテンツを検索する場合、使用者により選択された元のコンテンツを、派生元コンテンツとも称する。
【００５４】
履歴記憶部５８は、派生コンテンツの検索の履歴を記憶する。
【００５５】
再生部５９は、再生モードにおいて、入力部１６への使用者の操作に応じ、使用者により選択されたコンテンツを再生する。例えば、再生部５９は、コンテンツデータベース６３からコンテンツを読み出して再生する。または、例えば、再生部５９は、通信部１９で受信したコンテンツを再生する。
【００５６】
通信制御部６０は、ネットワークインタフェースである通信部１９のドライバであるプログラムが実行されることにより実現され、ネットワークを介した各種のデータの送信および受信を制御する。
【００５７】
例えば、通信制御部６０は、ネットワークインタフェースである通信部１９に、ネットワークを介して、図示せぬサーバから、再生しようとするコンテンツを受信させる。通信制御部６０は、ネットワークインタフェースである通信部１９に、ネットワークを介して、図示せぬサーバから、コンテンツのメタデータなど、コンテンツに関係するデータを受信させる。
【００５８】
メタデータデータベース６１、お気に入りデータベース６２、およびコンテンツデータベース６３は、それぞれ、データベース管理プログラムの実行により実現されるデータベース管理機能と、このデータベース管理機能により管理される、ハードディスクドライブ１８の記録領域のうちの所定の記録容量の記録領域とからなるデータベースである。
【００５９】
メタデータデータベース６１は、コンテンツに付加されているメタデータを格納する。例えば、メタデータデータベース６１は、コンテンツデータベース６３に格納されているコンテンツに付加されているメタデータを格納する。言い換えれば、例えば、メタデータデータベース６１は、コンテンツデータベース６３に格納されているコンテンツに紐付けされているメタデータを格納する。メタデータデータベース６１は、任意のコンテンツまたはメタデータをキーとして読み出しが要求されると、そのキーに紐付けられているメタデータを返す。
【００６０】
お気に入りデータベース６２は、使用者が気に入り、使用者により選択されたコンテンツであるお気に入りのコンテンツを特定する情報を格納する。
【００６１】
コンテンツデータベース６３は、コンテンツを格納する。コンテンツデータベース６３は、任意のコンテンツまたはメタデータをキーとして読み出しが要求されると、そのキーに紐付けられているコンテンツを返す。
【００６２】
モード決定部５２は、視点指示部７１を含む。視点指示部７１は、表示制御部５５に、３次元モデルの描画の視点を指示する。
【００６３】
３次元モデル生成部５４は、モデルひな形データ７２をその内部に格納している。モデルひな形データ７２は、後述する所定のカテゴリで検索されたコンテンツのサムネイル画像などの１または複数のモデルを取り囲む、１または複数のモデルのまとまりを示すモデルの色、およびサムネイル画像を繋ぐ線の太さや実線または点線などのパターンなどを記述する、３次元モデルのひな形となるデータである。
【００６４】
表示制御部５５は、描画部７３を含む。描画部７３は、３次元モデル生成部５４から供給された３次元モデルを描画して、３次元モデルを表示部３１に表示させるための表示データを生成する。
【００６５】
派生コンテンツ検索部５７は、カテゴリ選択部７４を含む。カテゴリ選択部７４は、検索する派生コンテンツのカテゴリを選択する。詳細は、後述するが、カテゴリは、派生元コンテンツと派生コンテンツとが関連する事項である。
【００６６】
履歴記憶部５８は、派生コンテンツ検索履歴記憶部７５および派生元コンテンツ選択履歴記憶部７６を含む。派生コンテンツ検索履歴記憶部７５は、派生コンテンツの検索の履歴を記憶する。派生元コンテンツ選択履歴記憶部７６は、派生元コンテンツの選択の履歴を記憶する。
【００６７】
図３は、モデルパラメータ決定部５３の構成を示す図である。モデルパラメータ決定部５３は、フォーカス位置決定部１０１、レイヤ配置決定部１０２、透明度決定部１０３、トップページモデルパラメータ決定部１０４、派生検索モデルパラメータ決定部１０５、集約モデルパラメータ決定部１０６、およびモデルパラメータ記憶部１０７からなる。
【００６８】
フォーカス位置決定部１０１は、３次元モデルを特定するためのパラメータのうち、フォーカスの位置を示すパラメータを決める。
【００６９】
レイヤ配置決定部１０２は、サムネイル画像などのモデルが配置されるレイヤの３次元モデルにおける配置を記述するパラメータを決める。
【００７０】
透明度決定部１０３は、モデルの透明度を記述するパラメータを決定する。
【００７１】
トップページモデルパラメータ決定部１０４は、トップページ表示モードにおいて表示されるトップページを表示するための３次元モデルのパラメータであって、トップページに配置されるサムネイル画像やテキストなどのモデルを特定するパラメータを決定する。
【００７２】
派生検索モデルパラメータ決定部１０５は、派生検索モードにおいて表示される、派生コンテンツのサムネイル画像および派生元コンテンツのサムネイル画像などのモデルを表示するための３次元モデルのパラメータであって、派生コンテンツのサムネイル画像であるモデルを特定するパラメータや、サムネイル画像であるモデルの配置を記述するパラメータなどを決定する。
【００７３】
集約モデルパラメータ決定部１０６は、集約モードにおいて表示される、派生元コンテンツのサムネイル画像などのモデルを表示するための３次元モデルのパラメータであって、派生元コンテンツのサムネイル画像であるモデルを特定するパラメータや、サムネイル画像であるモデルの配置を記述するパラメータなどを決定する。
【００７４】
モデルパラメータ記憶部１０７は、表示に用いられている３次元モデルのパラメータを記憶する。
【００７５】
派生検索モデルパラメータ決定部１０５は、さらに、派生元モデル配置決定部１２１、派生モデル構成配置決定部１２２、詳細情報モデル配置決定部１２３、および動画像モデル配置決定部１２４からなる。
【００７６】
派生元モデル配置決定部１２１は、派生元コンテンツのモデルであって、サムネイル画像などであるモデルの配置を特定するパラメータを決める。
【００７７】
派生モデル構成配置決定部１２２は、派生コンテンツのモデルであって、サムネイル画像などであるモデルの数を記述するパラメータ、モデルとして用いられる派生コンテンツのサムネイル画像のそれぞれを特定するパラメータ、サムネイル画像であるモデルのそれぞれの配置を特定するパラメータなどを決める。
【００７８】
詳細情報モデル配置決定部１２３は、詳細情報モデルとして用いられる、派生元コンテンツの詳細な情報である詳細情報を特定するパラメータ、およびその詳細情報モデルの配置を特定するパラメータを決める。
【００７９】
動画像モデル配置決定部１２４は、動画像である派生コンテンツまたは派生元コンテンツの、その表示のサイズが縮小された動画像であるモデルの配置を特定するパラメータなどを決める。
【００８０】
次に、出力部１７の表示部３１の画面の表示について説明する。
【００８１】
図４で示されるように、パーソナルコンピュータの表示モードには、トップページモード、派生検索モード、再生モード、集約モード、および俯瞰モードの５つのモードがある。トップページモードは、画面上にジャンル毎のコンテンツの一覧が表示されるモードであり、表示の処理が開始されると選択される最初のモードである。派生検索モードは、入力部１６への使用者の操作に応じ、使用者により選択されたコンテンツに関連するコンテンツが検索されるモードである。すなわち、派生検索モードにおいて、使用者に選択されたコンテンツに繋がりのあるコンテンツが検索される。
【００８２】
派生コンテンツは、所定のコンテンツに関連するコンテンツ、すなわち、所定のコンテンツに繋がりのあるコンテンツである。また派生元コンテンツは、派生コンテンツに関連する元のコンテンツ、すなわち、派生コンテンツに繋がりのある元のコンテンツである。
【００８３】
再生モードは、コンテンツが再生されるモードである。
【００８４】
集約モードは、派生検索モードの検索の過程における派生元コンテンツが一覧表示されるモードである。すなわち、集約モードは、派生検索モードにおいて検索された、派生元コンテンツに繋がりのある派生コンテンツとその派生元コンテンツについて、派生元コンテンツのサムネイル画像および派生コンテンツのサムネイル画像が表示されると共に、派生元コンテンツと派生コンテンツとの繋がりの情報が表示されるモードである。
【００８５】
俯瞰モードは、３次元モデルの描画の基準となるカメラの視点が変えられて、派生検索の過程が俯瞰されるモードである。言い換えれば、俯瞰モードは、派生モードにおける画面が使用者により俯瞰される画面とされるモードである。
【００８６】
トップページモードであるパーソナルコンピュータの表示モードは、使用者からの操作に応じて、派生検索モード、再生モード、または集約モードに遷移する。また、派生検索モードであるパーソナルコンピュータの表示モードは、使用者からの操作に応じて、再生モード、集約モード、または俯瞰モードに遷移する。
【００８７】
再生モードであるパーソナルコンピュータの表示モードは、使用者からの操作に応じて、トップページモードまたは派生検索モードに遷移する。集約モードであるパーソナルコンピュータの表示モードは、使用者からの操作に応じて、トップページモードまたは派生検索モードに遷移する。
【００８８】
また、俯瞰モードであるパーソナルコンピュータの表示モードは、使用者からの操作に応じて、派生検索モードに遷移する。
【００８９】
以下、図５乃至図２３を参照して、トップページモード、派生検索モード、再生モード、集約モード、および俯瞰モードにおいて出力部１７の表示部３１に表示される表示例について説明する。
【００９０】
以下、コンテンツのモデルとして、コンテンツのサムネイル画像、動画像であるコンテンツの縮小されている動画像、またはコンテンツの詳細情報であって、テキストで表現される詳細情報などを例に説明する。
【００９１】
図５乃至図９は、トップページモードの画面およびトップページモードからの他の表示モードへの遷移の例を示す図である。
【００９２】
表示の処理が開始されると、図５の上側に示されるように、トップページモードの画面が出力部１７の表示部３１に表示される。トップページモードの画面において、画面の上側に、マイページ、アクション、アニメーション、SF、ホラー、コメディ、その他などのジャンルを選択するためのボタンが横１列に配置されている。ジャンルを選択するためのボタンのいずれか１つがフォーカスされるか、または選択される。
【００９３】
ジャンルを選択するためのボタンのうちの、選択されているかまたはフォーカスされているボタンのジャンルに属するコンテンツのサムネイル画像が、トップページモードの画面の下側に横１列に配置される。
【００９４】
表示の処理が開始された場合、ジャンルを選択するためのボタンのうち、デフォルトとして、１つのボタンが選択される。例えば、図５に示されるように、アクションであるジャンルのボタンが選択される。
【００９５】
また、表示の処理が開始された場合、デフォルトとして選択されているボタンのジャンルに属するコンテンツのサムネイル画像のうちの、画面の左端のサムネイル画像がデフォルトとしてフォーカスされる。例えば、図５に示されるように、アクションであるジャンルに属するコンテンツのサムネイル画像のうちの、画面の左端のサムネイル画像がデフォルトとしてフォーカスされる。
【００９６】
すなわち、表示の処理が開始された場合、ジャンルを選択するためのボタンのフォーカスが無効になり、サムネイル画像のフォーカスが有効になる。
【００９７】
サムネイル画像がフォーカスされている状態で、入力部１６のキーボードの上向きの矢印のキーが押圧されると、ジャンルを選択するためのボタンであって、選択されているジャンルのボタンがフォーカスされる。すなわち、ジャンルを選択するためのボタンであって、選択されているジャンルのボタンに、フォーカスが移動する。
【００９８】
サムネイル画像がフォーカスされている状態で、入力部１６のキーボードの上向きの矢印のキーが押圧されると、ジャンルを選択するためのボタンのフォーカスが有効になり、サムネイル画像のフォーカスが無効になる。
【００９９】
図６に示されるように、ジャンルを選択するためのボタンがフォーカスされている状態で、入力部１６のキーボードの右向きの矢印のキーが押圧されると、トップページモードの画面において、それまでにフォーカスされていたボタンの右側に配置されているボタンがフォーカスされる。すなわち、右側に、ジャンルを選択するためのボタンのフォーカスが移動する。
【０１００】
そして、フォーカスされているボタンのジャンルに属するコンテンツのサムネイル画像が、トップページモードの画面の下側に横１列に配置される。
【０１０１】
例えば、アクションであるジャンルのボタンがフォーカスされている状態で、入力部１６のキーボードの右向きの矢印のキーが４回押圧されると、アクションであるジャンルを選択するためのボタンに対して右側に配置されているボタンであって、その間に３つのボタンが配置されているコメディであるジャンルを選択するためのボタンがフォーカスされる。すると、トップページモードの画面の下側には、コメディであるジャンルに属するコンテンツのサムネイル画像が横１列に配置される。
【０１０２】
なお、ジャンルを選択するためのボタンがフォーカスされている状態で、入力部１６のキーボードの左向きの矢印のキーが押圧されると、トップページモードの画面において、それまでにフォーカスされていたボタンの左側に配置されているボタンがフォーカスされる。すなわち、左側に、ジャンルを選択するためのボタンのフォーカスが移動する。
【０１０３】
ジャンルを選択するためのボタンがフォーカスされている状態で、入力部１６のキーボードの下向きの矢印のキーが押圧されると、フォーカスされていたボタンに応じたジャンルが選択されて、トップページモードの画面の下側に横１列に配置されている、コンテンツのサムネイル画像に、フォーカスが移動する。
【０１０４】
すなわち、ジャンルを選択するためのボタンがフォーカスされている状態で、入力部１６のキーボードの下向きの矢印のキーが押圧されると、ジャンルを選択するためのボタンのフォーカスが無効になり、サムネイル画像のフォーカスが有効になる。
【０１０５】
例えば、コメディであるジャンルを選択するためのボタンがフォーカスされている状態で、入力部１６のキーボードの下向きの矢印のキーが押圧されると、トップページモードの画面の下側に横１列に配置されている、コメディであるジャンルに属するコンテンツのサムネイル画像のうちの、画面の左端のサムネイル画像がフォーカスされる。
【０１０６】
図７に示されるように、サムネイル画像がフォーカスされている状態で、入力部１６のキーボードの右向きの矢印のキーが押圧されると、トップページモードの画面において、それまでにフォーカスされていたサムネイル画像の右側に配置されているサムネイル画像がフォーカスされる。すなわち、左側に、サムネイル画像のフォーカスが移動する。
【０１０７】
例えば、画面の左端のサムネイル画像がフォーカスされている状態で、入力部１６のキーボードの右向きの矢印のキーが３回押圧されると、画面の左端のサムネイル画像に対して右側に配置されているサムネイル画像であって、その間に２つのサムネイル画像が配置されているサムネイル画像がフォーカスされる。
【０１０８】
なお、サムネイル画像がフォーカスされている状態で、入力部１６のキーボードの左向きの矢印のキーが押圧されると、トップページモードの画面において、それまでにフォーカスされていたサムネイル画像の左側に配置されているサムネイル画像がフォーカスされる。すなわち、左側に、サムネイル画像のフォーカスが移動する。
【０１０９】
さらに、図８に示されるように、サムネイル画像がフォーカスされている状態で、入力部１６のキーボードのエンターキーが押圧されると、サムネイル画像が選択されて、その結果、サムネイル画像のコンテンツが選択されて、パーソナルコンピュータの表示モードは、再生モードに遷移し、その選択されたコンテンツの再生が開始される。
【０１１０】
再生モードにおいて、図８の下側に示されるように、コンテンツが動画像である場合、フォーカスされていたサムネイル画像に代えて動画像が表示されて、その動画像が拡大されて表示される。
【０１１１】
図９に示されるように、サムネイル画像がフォーカスされている状態で、入力部１６のキーボードの”［”を入力するためのキーが押圧されると、フォーカスされていたサムネイル画像のコンテンツが派生元コンテンツとして選択され、パーソナルコンピュータの表示モードは、派生検索モードに遷移する。以下、”［”を入力するためのキーを［キーと称する。
【０１１２】
派生検索モードにおいて、図９の下側に示されるように、派生元コンテンツに関連するコンテンツである派生コンテンツのサムネイル画像を表示するためのレイヤが、トップページモードの画面を表示するためのレイヤに重ねて追加される。
【０１１３】
ここで、派生検索モードにおいて表示される画像の軸を説明する。派生検索モードにおいて、画像の軸は、互いに直交するx軸、y軸、およびz軸からなる。
【０１１４】
ボタンやサムネイル画像を表示するためのレイヤは、x軸およびy軸の平面（以下、XY平面と称する）と平行するように配置される。y軸は、ボタンまたはサムネイル画像の縦方向を示し、x軸は、ボタンまたはサムネイル画像の横方向を示す。
【０１１５】
派生元コンテンツに関連するコンテンツである派生コンテンツのサムネイル画像を表示するためのレイヤは、トップページモードの画面を表示するためのレイヤに対して、z軸方向に所定の距離だけ離れて配置される。
【０１１６】
派生元コンテンツに関連するコンテンツである派生コンテンツのサムネイル画像を表示するためのレイヤには、派生コンテンツのサムネイル画像に加えて、派生元コンテンツのサムネイル画像、派生元コンテンツの縮小された動画像（動画像であるサムネイル画像）、および派生元コンテンツの詳細情報が表示される。
【０１１７】
この場合、図９に示されるように、派生コンテンツのサムネイル画像を表示するためのレイヤに配置される派生元コンテンツのサムネイル画像と、トップページモードの画面を表示するためのレイヤに配置される派生元コンテンツのサムネイル画像とのy軸上の位置およびx軸上の位置は、同じとされ、z軸上の位置は、レイヤの距離だけ離れている。
【０１１８】
このようにすることで、派生元コンテンツのサムネイル画像であることが、ひと目でわかるようになる。従って、使用者は、現在の派生元コンテンツを確実に認識することができる。
【０１１９】
派生コンテンツのサムネイル画像を表示するためのレイヤに配置される派生元コンテンツのサムネイル画像に対して、y軸上のプラス方向の位置には、図９においてAで示される派生元コンテンツの縮小された動画像（動画像であるサムネイル画像）が表示される。派生コンテンツのサムネイル画像を表示するためのレイヤに配置される派生元コンテンツのサムネイル画像に対して、x軸上のマイナス方向の位置には、図９においてBで示される派生元コンテンツの詳細情報がテキストなどにより表示される。
【０１２０】
派生コンテンツのサムネイル画像を表示するためのレイヤに配置される派生元コンテンツのサムネイル画像に対して、x軸上のプラス方向の位置には、所定の事項で、派生元コンテンツにそれぞれ関連する１または複数の派生コンテンツのサムネイル画像のそれぞれが、x軸方向に１列に配置される。
【０１２１】
例えば、派生元コンテンツの出演者と派生コンテンツの出演者とが共通する場合、出演者で、派生元コンテンツと派生コンテンツとが関連すると言える。また、派生元コンテンツの監督と派生コンテンツの監督とが共通する場合、監督で、派生元コンテンツと派生コンテンツとが関連すると言える。
【０１２２】
以下、派生元コンテンツと派生コンテンツとが関連する事項を、カテゴリと称する。例えば、派生元コンテンツの出演者と派生コンテンツの出演者とが共通する場合、出演者のカテゴリで、派生元コンテンツと派生コンテンツとが関連すると称する。
【０１２３】
x軸方向に１列に配置されている、複数の派生コンテンツのサムネイル画像に対して、y軸上のマイナス方向の位置には、派生元コンテンツと派生コンテンツとが関連するカテゴリと、カテゴリの具体的な内容とが表示される。すなわち、例えば、派生元コンテンツに出演しているaaaである出演者が派生コンテンツにも出演している場合、出演者であるカテゴリと、aaaである出演者の名前とが、x軸方向に１列に配置されている、複数の派生コンテンツのサムネイル画像に対して、y軸上のマイナス方向の位置に表示されることになる。
【０１２４】
１つのカテゴリの１または複数の派生コンテンツのそれぞれのサムネイル画像は、まとまりを表すモデル（例えば、１つの所定の色の四角の画像）によって囲まれる。
【０１２５】
このようにすることで、使用者は、ひと目でカテゴリを区別することができる。
【０１２６】
以下、１つのカテゴリの派生コンテンツの１または複数のモデルであって、１列に並べられているモデルをラインとも称する。
【０１２７】
入力部１６のキーボードの［キーが押圧されて、パーソナルコンピュータの表示モードが、派生検索モードに遷移した場合、派生コンテンツのサムネイル画像を表示するためのレイヤに配置される派生元コンテンツのサムネイル画像がフォーカスされる。
【０１２８】
フォーカスされているサムネイル画像は、表示部３１の画面の中央に表示される。
【０１２９】
図９に示されるように、派生検索モードにおいて、カメラの視線、すなわち、ボタンやサムネイル画像などのモデルの描画の基準となるカメラの視線は、レイヤに対して斜めとされる。すなわち、派生検索モードにおいて、表示部３１の画面に対して、x軸、y軸、およびz軸が斜めになるように、ボタンやサムネイル画像などのモデルが表示される。
【０１３０】
図１０に示されるように、派生検索モードにおいて、派生元コンテンツのサムネイル画像または派生コンテンツのサムネイル画像がフォーカスされている状態で、入力部１６のキーボードの右向きの矢印のキーが押圧されると、派生検索モードの派生コンテンツのサムネイル画像を表示するためのレイヤにおいて、それまでにフォーカスされていたサムネイル画像に対してx軸上のプラス方向に隣接して配置されているサムネイル画像がフォーカスされる。すなわち、x軸上のプラス方向に、サムネイル画像のフォーカスが移動する。
【０１３１】
また、派生検索モードにおいて、派生コンテンツのサムネイル画像がフォーカスされている状態で、入力部１６のキーボードの左向きの矢印のキーが押圧されると、派生検索モードの派生コンテンツのサムネイル画像を表示するためのレイヤにおいて、それまでにフォーカスされていたサムネイル画像に対してx軸上のマイナス方向に隣接して配置されているサムネイル画像がフォーカスされる。すなわち、x軸上のマイナス方向に、サムネイル画像のフォーカスが移動する。
【０１３２】
サムネイル画像のフォーカスが移動すると、フォーカスされているサムネイル画像に対して、y軸上のプラス方向の位置には、フォーカスされているサムネイル画像の派生コンテンツの縮小された動画像（動画像であるサムネイル画像）が表示される。なお、サムネイル画像がフォーカスされていない派生コンテンツの動画像（動画像であるサムネイル画像）は表示されない。
【０１３３】
サムネイル画像のフォーカスが移動した場合、フォーカスされているサムネイル画像は、表示部３１の画面の中央に表示される。
【０１３４】
派生検索モードにおいて、入力部１６のキーボードの上向きの矢印のキーが押圧されると、図１１に示されるように、x軸方向に１列に配置されている、所定のカテゴリで、派生元コンテンツにそれぞれ関連する１または複数の派生コンテンツのサムネイル画像に対して、y軸上のプラス方向の位置に、新たなカテゴリで、派生元コンテンツにそれぞれ関連する１または複数の派生コンテンツのサムネイル画像が、x軸方向に１列に配置される。
【０１３５】
例えば、aaaである出演者で、派生元コンテンツにそれぞれ関連する１または複数の派生コンテンツのサムネイル画像に対して、y軸上のプラス方向の位置に、公表された年で、派生元コンテンツにそれぞれ関連する１または複数の派生コンテンツのサムネイル画像が、x軸方向に１列に配置される。
【０１３６】
例えば、派生検索モードにおいて、入力部１６のキーボードの上向きの矢印のキーが押圧されると、図１１に示されるように、aaaである出演者で、派生元コンテンツにそれぞれ関連する１または複数の派生コンテンツのサムネイル画像に対して、y軸上のプラス方向の位置に、ディレクタで、派生元コンテンツに関連する派生コンテンツのサムネイル画像が、x軸方向に１列に配置され、さらに、y軸上のさらにプラス方向の位置に、公表された年で、派生元コンテンツにそれぞれに関連する複数の派生コンテンツのサムネイル画像が、x軸方向に１列に配置される。なお、図１１の例において、派生元コンテンツにディレクタで関連する派生コンテンツは存在せず、派生元コンテンツにディレクタで関連する派生コンテンツのサムネイル画像は表示されていない。
【０１３７】
派生検索モードにおいて、入力部１６のキーボードの上向きの矢印のキーが押圧されるて、新たなカテゴリで、派生元コンテンツにそれぞれ関連する１または複数の派生コンテンツのサムネイル画像が、x軸方向に１列に配置されると、その新たなカテゴリで、派生元コンテンツにそれぞれ関連する１または複数の派生コンテンツのサムネイル画像のうちの１つのサムネイル画像がフォーカスされる。
【０１３８】
フォーカスされているサムネイル画像は、表示部３１の画面の中央に表示される。
【０１３９】
同様に、派生検索モードにおいて、入力部１６のキーボードの下向きの矢印のキーが押圧されると、x軸方向に１列に配置されている、所定のカテゴリで、派生元コンテンツにそれぞれ関連する１または複数の派生コンテンツのサムネイル画像に対して、y軸上のマイナス方向の位置に、新たなカテゴリで、派生元コンテンツにそれぞれ関連する１または複数の派生コンテンツのサムネイル画像が、x軸方向に１列に配置される。
【０１４０】
派生検索モードにおいて、入力部１６のキーボードの下向きの矢印のキーが押圧されるて、新たなカテゴリで、派生元コンテンツにそれぞれ関連する１または複数の派生コンテンツのサムネイル画像が、x軸方向に１列に配置されると、その新たなカテゴリで、派生元コンテンツにそれぞれ関連する１または複数の派生コンテンツのサムネイル画像のうちの１つのサムネイル画像がフォーカスされる。この場合も、フォーカスされているサムネイル画像が、表示部３１の画面の中央に表示される。
【０１４１】
また、派生検索モードにおいて、複数のカテゴリの派生コンテンツのサムネイル画像が表示されている場合、入力部１６のキーボードの上向きの矢印のキーが押圧されると、サムネイル画像のフォーカスがy軸上のプラス方向に移動し、入力部１６のキーボードの下向きの矢印のキーが押圧されると、サムネイル画像のフォーカスがy軸上のマイナス方向に移動する。
【０１４２】
さらに、図１２に示されるように、派生コンテンツのサムネイル画像がフォーカスされている状態で、入力部１６のキーボードのエンターキーが押圧されると、派生コンテンツのサムネイル画像が選択されて、その結果、その派生コンテンツが選択されて、パーソナルコンピュータの表示モードは、再生モードに遷移し、その選択されたコンテンツの再生が開始される。
【０１４３】
再生モードにおいて、図１２の下側に示されるように、コンテンツが動画像である場合、フォーカスされていたサムネイル画像に代えて動画像が表示されて、その動画像が拡大されて表示される。
【０１４４】
さらに、派生検索モードにおいて、派生元コンテンツのサムネイルを除いた、派生コンテンツのサムネイル画像のいずれかがフォーカスされている状態で、入力部１６のキーボードの［キーが押圧されると、図１３に示されるように、フォーカスされていたサムネイル画像の派生コンテンツが派生元コンテンツとして新たに選択され、新たに選択された派生元コンテンツに関連するコンテンツである派生コンテンツのサムネイル画像を表示するためのレイヤが、これまでの派生コンテンツのサムネイル画像を表示するためのレイヤに重ねて追加される。新たに選択された派生元コンテンツに関連するコンテンツである派生コンテンツのサムネイル画像を表示するためのレイヤは、これまでの派生コンテンツのサムネイル画像を表示するためのレイヤに対して、z軸方向に所定の距離だけ離れて配置される。
【０１４５】
新たに選択された派生元コンテンツに関連するコンテンツである派生コンテンツのサムネイル画像を表示するためのレイヤ上のそのサムネイル画像のいずれかがフォーカスされる。
【０１４６】
そして、これまでの派生コンテンツのサムネイル画像を表示するためのレイヤにおける画像は、半透明で表示される。
【０１４７】
さらにまた、図１４に示されるように、新たに選択された派生元コンテンツに関連するコンテンツである派生コンテンツのサムネイル画像を表示するためのレイヤが追加されて、新たな派生コンテンツのサムネイル画像のいずれかがフォーカスされている状態で、入力部１６のキーボードの”］”を入力するためのキー（以下、[キーと称する]が押圧されると、フォーカスは、これまでにフォーカスされていたサムネイル画像の派生コンテンツに関連する派生元コンテンツのサムネイル画像が表示されるレイヤに表示されているサムネイル画像のいずれかに移動する。
【０１４８】
そして、フォーカスされたサムネイル画像が表示されるレイヤにおける画像は、不透明で表示される。
【０１４９】
フォーカスが移動し、その結果、フォーカスされるサムネイル画像は、表示部３１の画面の中央に表示される。
【０１５０】
なお、この場合、これまでにフォーカスされていたサムネイル画像が表示されるレイヤにおける画像は、半透明で表示される。詳細は、後述するが、フォーカスされているサムネイル画像が配置されているいずれかのサムネイル画像の派生コンテンツであって、前回、派生元コンテンツとして選択された派生コンテンツと異なる派生コンテンツが、新たに派生元コンテンツとして選択された場合、半透明で表示されていた、これまでにフォーカスされていたサムネイル画像が表示されるレイヤにおける画像が消去される。
【０１５１】
すなわち、派生元コンテンツとして新たに選択されたコンテンツのサムネイルのレイヤにおける、派生コンテンツの検索の過程が消去される。
【０１５２】
図１５に示されるように、派生検索モードにおいて、入力部１６のキーボードのBキーが押圧されると、パーソナルコンピュータの表示モードは、集約モードに遷移する。
【０１５３】
集約モードにおいて、派生元コンテンツのサムネイル画像が、表示部３１の画面の横方向に１列に、派生元コンテンツの選択の順に、左から並べて表示される。
【０１５４】
すなわち、集約モードにおいて、画面の左端のサムネイル画像は、最初に選択された派生元コンテンツのサムネイル画像であり、画面の左から２番目のサムネイル画像は、最初に選択された派生元コンテンツに関連する派生コンテンツの中から選択された派生元コンテンツであって、２番目に選択された派生元コンテンツのサムネイル画像である。画面の左から３番目のサムネイル画像は、２番目に選択された派生元コンテンツに関連する派生コンテンツの中から選択された派生元コンテンツであって、３番目に選択された派生元コンテンツのサムネイル画像である。
【０１５５】
すなわち、集約モードにおいて、その左側にサムネイル画像が配置されているサムネイル画像は、その左側のサムネイル画像のコンテンツが派生元コンテンツとして選択された場合、その左側のサムネイル画像の派生元コンテンツに関連する派生コンテンツの中から選択された派生元コンテンツのサムネイル画像である。
【０１５６】
集約モードにおいて、横に隣接するサムネイル画像は、横線で結ばれている。
【０１５７】
さらに、集約モードにおいて、派生元コンテンツとして選択されたコンテンツのサムネイル画像と、その派生元コンテンツに関連する派生コンテンツの中から選択された派生元コンテンツのサムネイル画像との間には、関連する事項であるカテゴリと、カテゴリの具体的な内容とが表示される。
【０１５８】
集約モードにおいて、入力部１６のキーボードのPキーが継続して押圧されると、パーソナルコンピュータの表示モードは、俯瞰モードに遷移する。
【０１５９】
図１６に示されるように、俯瞰モードにおいて、３次元モデルの描画の基準となるカメラの視点、すなわち、ボタンやサムネイル画像の描画の基準となるカメラの視点は、サムネイル画像またはボタンなどのモデルから離れる方向に移動させられる。すなわち、俯瞰モードにおいて、カメラの視点が引かれる。
【０１６０】
図１７に示されるように、派生検索モードにおいて、最初に検索された派生コンテンツのサムネイル画像がフォーカスされている状態で、すなわち、トップページモードのサムネイル画像のコンテンツが派生元コンテンツとして選択されて、その派生元コンテンツから検索された派生コンテンツのサムネイル画像がフォーカスされている状態で、入力部１６のキーボードの］キーが押圧されると、パーソナルコンピュータの表示モードは、トップページモードに遷移する。
【０１６１】
派生検索モードからトップページモードに遷移すると、これまでの派生コンテンツの検索の過程が消去される。
【０１６２】
トップページモードにおいて、３次元モデルの描画の基準となるカメラの視線は、z軸と一致させられる。
【０１６３】
フォーカスは、派生検索モードに遷移する前のトップページモードにおいて、派生元コンテンツとして選択されたコンテンツのサムネイル画像に移動する。
【０１６４】
また、図１８で示されるように、再生モードにおいて、入力部１６のキーボードのエンターキーまたは］キーが押圧されると、コンテンツの再生が終了させられて、パーソナルコンピュータの表示モードは、トップページモードまたは派生検索モードに遷移する。例えば、再生モードの前のモードがトップページモードである場合、コンテンツの再生が終了すると、パーソナルコンピュータの表示モードがトップページモードに遷移し、再生モードの前のモードが派生検索モードある場合、コンテンツの再生が終了すると、パーソナルコンピュータの表示モードが派生検索モードに遷移する。
【０１６５】
図１９で示されるように、集約モードにおいて、入力部１６のキーボードの右向きの矢印のキーが押圧されると、それまでにフォーカスされていたサムネイル画像に対して右側に配置されているサムネイル画像がフォーカスされる。すなわち、右側に、サムネイル画像のフォーカスが移動する。
【０１６６】
集約モードにおいて、入力部１６のキーボードの左向きの矢印のキーが押圧されると、それまでにフォーカスされていたサムネイル画像に対して左側に配置されているサムネイル画像がフォーカスされる。すなわち、左側に、サムネイル画像のフォーカスが移動する。
【０１６７】
集約モードにおいて、サムネイル画像のフォーカスが移動した場合、フォーカスされているサムネイル画像は、表示部３１の画面の中央に表示される。
【０１６８】
図２０に示されるように、集約モードにおいて、入力部１６のキーボードの［キーが押圧されると、派生元コンテンツとして選択されたコンテンツがお気に入りに登録され、すなわち、派生元コンテンツとして選択されたコンテンツを特定する情報がお気に入りデータベース６２に格納され、パーソナルコンピュータの表示モードは、トップページモードに遷移する。パーソナルコンピュータの表示モードが、集約モードからトップページモードに遷移すると、これまでの派生検索モードにおける派生コンテンツの検索の過程が消去される。
【０１６９】
また、図２１に示されるように、集約モードにおいて、入力部１６のキーボードの]キーまたはBキーが押圧されると、パーソナルコンピュータの表示モードは、派生検索モードに遷移する。派生検索モードに遷移すると、派生元コンテンツの選択の順に、左から並べて表示される派生元コンテンツのサムネイル画像、並びに関連する事項であるカテゴリおよびカテゴリの具体的な内容の表示は消去される。
【０１７０】
図２２に示されるように俯瞰モードにおいて、入力部１６のキーボードのPキーを押圧したまま、さらに、上向きの矢印のキー、下向きの矢印のキー、右向きの矢印のキー、または左向きの矢印のキーを押圧すると、ボタンやサムネイル画像などからなる３次元モデルの描画の基準となるカメラの視点は、x軸のマイナス方向若しくはプラス方向またはy軸のマイナス方向若しくはプラス方向に移動させられる。
【０１７１】
図２３に示されるように俯瞰モードにおいて、入力部１６のキーボードのPキーを離すと、パーソナルコンピュータの表示モードは、派生検索モードに遷移し、引かれていたカメラの視点が元に戻る。
【０１７２】
以上のように、パーソナルコンピュータの表示モードが、トップページモード、派生検索モード、再生モード、集約モード、または俯瞰モードに遷移させられる。
【０１７３】
図２４に示されるように、トップページが表示されるトップページモードにおいて、サムネイル画像がフォーカスされている状態で、エンターキーが押圧されると、パーソナルコンピュータの表示モードが、再生モードに遷移させられて、フォーカスされているサムネイル画像のコンテンツの再生が開始される。
【０１７４】
トップページモードにおいて、サムネイル画像がフォーカスされている状態で、［キーが押圧されると、パーソナルコンピュータの表示モードが、派生検索モードに遷移させられて、フォーカスされているサムネイル画像のコンテンツが派生元コンテンツとして選択されて、その派生元コンテンツに関連する派生コンテンツが検索される。派生コンテンツのサムネイル画像は、トップページモードの画像が表示されるレイヤと異なるレイヤに配置される。
【０１７５】
派生検索モードにおいて、派生コンテンツのサムネイル画像がフォーカスされている状態で、［キーが押圧されると、フォーカスされているサムネイル画像の派生コンテンツが派生元コンテンツとして新たに選択されて、その新たな派生元コンテンツに関連する新たな派生コンテンツが検索される。新たな派生コンテンツのサムネイル画像は、前の派生コンテンツのサムネイル画像が表示されるレイヤと異なるレイヤに配置される。
【０１７６】
派生検索モードにおいて、上向きの矢印のキーまたは下向きの矢印のキーが押圧されると、新たなカテゴリで、派生元コンテンツに関連する新たな派生コンテンツが検索され、新たに検索された派生コンテンツのサムネイル画像が、前のカテゴリの派生コンテンツのサムネイル画像が表示されるレイヤであって、カテゴリ毎に表示される。
【０１７７】
派生検索モードにおいて、エンターキーが押圧されると、再生モードに遷移させられて、フォーカスされているサムネイル画像のコンテンツの再生が開始される。
【０１７８】
派生検索モードにおいて、Bキーが押圧されると、集約モードに遷移させられて、選択の順の横１列の派生元コンテンツのサムネイル画像と、関連する事項であるカテゴリと、カテゴリの具体的な内容とが表示される。
【０１７９】
集約モードにおいて、［キーが押圧されると、派生元コンテンツとして選択されたコンテンツがお気に入り、すなわち、マイページに登録される。
【０１８０】
マイページにおいて、お気に入りとして登録されているコンテンツのサムネイル画像がフォーカスされて、エンターキーが押圧されると、再生モードに遷移させられて、フォーカスされているサムネイル画像のコンテンツの再生が開始される。
【０１８１】
マイページにおいて、お気に入りとして登録されているコンテンツのサムネイル画像がフォーカスされている状態で、［キーが押圧されると、派生検索モードに遷移させられて、フォーカスされているサムネイル画像のコンテンツが派生元コンテンツとして選択されて、その派生元コンテンツに関連する新たな派生コンテンツが検索される。
【０１８２】
次に、図２５乃至図３３のフローチャートを参照して、図５乃至図２３を参照して説明した、出力部１７の表示部３１への画面の表示の処理を説明する。
【０１８３】
まず、モード決定部５２において、表示モードをトップページモードと決定された場合に実行される、トップページモードの表示の処理について説明する。
【０１８４】
図２５は、トップページモードの表示の処理を説明するフローチャートである。ステップＳ１１において、モデルパラメータ決定部５３のレイヤ配置決定部１０２は、レイヤの数を決めるパラメータに１を設定することにより、レイヤを１つにする。ステップＳ１２において、モデルパラメータ決定部５３のレイヤ配置決定部１０２は、モデルパラメータ記憶部１０７に記憶されているモデルパラメータを参照して、描画するレイヤを決めるパラメータに、これまでに描画されたレイヤのうちの最も下のレイヤ、すなわち、z軸方向の位置を示す座標値が最も小さいレイヤを特定する値を設定することにより、レイヤを選択する。
【０１８５】
派生検索モードなどにおいて最も下のレイヤにトップページが表示されるので、派生検索モードなどからトップページモードに遷移した場合、前に表示されていたトップページモードのモデルを参照して、トップページを表示させることができる。
【０１８６】
なお、表示の処理が開始されてから最初のステップＳ１２において、モデルパラメータ記憶部１０７にはモデルパラメータは記憶されていないので、レイヤ配置決定部１０２は、描画するレイヤを決めるパラメータに、新たに生成するレイヤを特定する値であって、デフォルトとして予め定められた値を設定することにより、レイヤを選択する。
【０１８７】
ステップＳ１３において、モデルパラメータ決定部５３のトップページモデルパラメータ決定部１０４は、入力部１６への使用者の操作に応じた入力制御部５１からのデータに応じて選択されたジャンルのコンテンツを選択するジャンル別コンテンツ選択部５６によるコンテンツの選択の結果を基に、選択されたジャンルのコンテンツが選択されたか否かを判定する。ステップＳ１３において、選択されたジャンルのコンテンツが選択されていないと判定された場合、選択されたジャンルのコンテンツが選択されるまで、ステップＳ１３の判定の処理が繰り返される。
【０１８８】
ステップＳ１３において、選択されたジャンルのコンテンツが選択されたと判定された場合、手続きは、ステップＳ１４に進み、ステップＳ１４において、モデルパラメータ決定部５３のトップページモデルパラメータ決定部１０４は、ジャンル別コンテンツ選択部５６によって選択されたコンテンツのモデルの配置を決める。例えば、ステップＳ１４において、トップページモデルパラメータ決定部１０４は、ジャンル別コンテンツ選択部５６によって選択されたコンテンツのサムネイル画像の配置を記述するパラメータに、選択されたコンテンツのサムネイル画像を特定する値と、x軸、y軸、およびz軸上のそれぞれの位置を示す値とを設定することにより、モデルの配置を決める。
【０１８９】
ステップＳ１５において、モデルパラメータ決定部５３のモデルパラメータ記憶部１０７は、ステップＳ１４で配置が決められることにより、決定したモデルのパラメータを記憶する。
【０１９０】
ステップＳ１６において、３次元モデル生成部５４は、モデルひな形データ７２を参照して、例えばVRMLによって記述される３次元モデルを生成する。
【０１９１】
ステップＳ１７において、モード決定部５２の視点指示部７１は、x軸、y軸、およびz軸の３次元座標において、z軸上から原点を見るカメラ視点を表示制御部５５に指示する。
【０１９２】
ステップＳ１８において、表示制御部の描画部７３は、ステップＳ１７で指示された視点から、ステップＳ１６において生成された３次元モデルを描画して、３次元モデルを表示するための表示データを生成する。
【０１９３】
ステップＳ１９において、表示制御部５５は、表示部３１に、ステップＳ１８において生成された表示データにより、３次元モデルを表示させて、手続きは、ステップＳ１３に戻る。
【０１９４】
次に、モード決定部５２において、表示モードを派生検索モードと決定された場合に実行される、派生検索モードの表示の処理について説明する。
【０１９５】
図２６は、派生検索モードの表示の処理を説明するフローチャートである。ステップＳ３１において、モデルのパラメータの決定の処理が実行される。ステップＳ３１における、モデルのパラメータの決定の処理の詳細は、図２７のフローチャートを参照して後述する。
【０１９６】
ステップＳ３２において、３次元モデル生成部５４は、決定されたパラメータを基に、モデルひな形データ７２を参照して、例えば、VRMLによって記述される３次元モデルを生成する。
【０１９７】
ステップＳ３３において、モード決定部５２の視点指示部７１は、x軸、y軸、およびz軸の３次元座標において、x軸およびy軸で定まるXY平面に対して斜めの、フォーカスされているモデルを見るカメラ視点を表示制御部５５に指示する。
【０１９８】
ステップＳ３４において、表示制御部の描画部７３は、ステップＳ３３で指示された視点から、ステップＳ３２において生成された３次元モデルを描画して、３次元モデルを表示するための表示データを生成する。
【０１９９】
ステップＳ３５において、表示制御部５５は、表示部３１に、ステップＳ３４において生成された表示データにより、３次元モデルを表示させて、手続きは、ステップＳ３１に戻る。
【０２００】
次に、図２７のフローチャートを参照して、ステップＳ３１に対応する、モデルのパラメータの決定の処理を説明する。ステップＳ５１において、レイヤ配置決定部１０２は、入力部１６への使用者の操作に応じた入力制御部５１からのデータを基に、レイヤの追加が指示されたか否かを判定する。
【０２０１】
例えば、図９の上側に示されるように、トップページモードの画面のレイヤに複数のコンテンツのそれぞれを示すサムネイル画像が表示されている場合、使用者が、入力部１６を操作することによって、複数のコンテンツのうちの１つのコンテンツの選択を指示すると、入力部１６は、そのレイヤに表示されているサムネイル画像についての使用者の操作に応じた、複数のコンテンツのうちの１つのコンテンツの選択の指示を入力する。そして、入力制御部５１は、選択されたコンテンツを示すデータをモデルパラメータ決定部５３に供給する。モデルパラメータ決定部５３のレイヤ配置決定部１０２は、入力部１６への使用者の操作に応じた入力制御部５１からのデータを基に、レイヤの追加が指示されたか否かを判定する。例えば、レイヤ配置決定部１０２は、選択されたコンテンツを示すデータが入力制御部５１から供給されると、レイヤの追加が指示されたと判定する。
【０２０２】
ステップＳ５１において、レイヤの追加が指示されたと判定された場合、手続きは、ステップＳ５２に進み、ステップＳ５２において、レイヤの追加の処理が行われる。
【０２０３】
ステップＳ５２の後、手続きは、ステップＳ５３に進む。
【０２０４】
ステップＳ５１において、レイヤの追加が指示されていないと判定された場合、ステップＳ５２はスキップされて、手続きは、ステップＳ５３に進む。
【０２０５】
ステップＳ５３において、フォーカス位置決定部１０１は、入力部１６への使用者の操作に応じた入力制御部５１からのデータを基に、派生コンテンツのモデルへのフォーカスが指示されたか否かを判定する。ステップＳ５３において、派生コンテンツのモデルへのフォーカスが指示されたと判定された場合、手続きは、ステップＳ５４に進み、派生コンテンツのモデルのフォーカス表示処理が行われる。
【０２０６】
ステップＳ５４の後、手続きは、ステップＳ５５に進む。
【０２０７】
ステップＳ５３において、派生コンテンツのモデルへのフォーカスが指示されていないと判定された場合、ステップＳ５４はスキップされて、手続きは、ステップＳ５５に進む。
【０２０８】
ステップＳ５５において、派生検索モデルパラメータ決定部１０５は、入力部１６への使用者の操作に応じた入力制御部５１からのデータを基に、次のカテゴリの派生コンテンツのモデルの表示が指示されたか否かを判定する。ステップＳ５５において、次のカテゴリの派生コンテンツのモデルの表示が指示されたと判定された場合、手続きは、ステップＳ５６に進み、次のカテゴリの１列のモデルが配置されるラインの追加の処理が行われる。
【０２０９】
ステップＳ５６の後、手続きは、ステップＳ５７に進む。
【０２１０】
ステップＳ５５において、次のカテゴリの派生コンテンツのモデルの表示が指示されていないと判定された場合、ステップＳ５６はスキップされて、手続きは、ステップＳ５７に進む。
【０２１１】
ステップＳ５７において、派生検索モデルパラメータ決定部１０５は、入力部１６への使用者の操作に応じた入力制御部５１からのデータを基に、１つ前のレイヤへの戻りの処理が指示されたか否かを判定する。ステップＳ５７において、１つ前のレイヤへの戻りの処理が指示されたと判定された場合、手続きはステップＳ５８に進み、１つ前のレイヤへの戻りの処理が行われて、モデルのパラメータの決定の処理は終了する。
【０２１２】
ステップＳ５７において、１つ前のレイヤへの戻りの処理が指示されていないと判定された場合、ステップＳ５８はスキップされて、モデルのパラメータの決定の処理は終了する。
【０２１３】
次に、図２８のフローチャートを参照して、ステップＳ５４に対応する、派生コンテンツのモデルのフォーカス表示の処理を説明する。ステップＳ７１において、フォーカス位置決定部１０１は、モデルパラメータ記憶部１０７から、これまでの表示に用いていたモデルのパラメータを読み出す。
【０２１４】
ステップＳ７２において、フォーカス位置決定部１０１は、モデルパラメータ記憶部１０７から読み出された、これまでの表示に用いていたモデルのパラメータを参照して、指示された派生コンテンツのモデルにフォーカスするようにフォーカス位置を決定する。より具体的には、フォーカス位置決定部１０１は、フォーカスされるサムネイル画像を特定し、特定されたサムネイル画像を示すデータを派生検索モデルパラメータ決定部１０５に供給する。
【０２１５】
ステップＳ７３において、派生検索モデルパラメータ決定部１０５の動画像モデル配置決定部１２４は、そのモデルがフォーカスされた派生コンテンツの動画像を表示させる動画像のモデルの配置を決定する。例えば、ステップＳ７３において、動画像モデル配置決定部１２４は、フォーカスされているモデルのx軸上の位置とy軸上の位置とから、x軸上の位置をそのままにして、モデルのy軸上の位置に所定の値を加算することにより、動画像のモデルの配置を決定する。
【０２１６】
ステップＳ７４において、モデルパラメータ記憶部１０７は、ステップＳ７２およびステップＳ７３において決定したモデルのパラメータを記憶して、派生コンテンツのモデルのフォーカス表示の処理は終了する。
【０２１７】
次に、図２９および図３０のフローチャートを参照して、ステップＳ５２に対応するレイヤの追加の処理を説明する。ステップＳ１０１において、レイヤ配置決定部１０２は、モデルパラメータ記憶部１０７に記憶されている、これまでの表示に用いていたモデルのパラメータを参照して、派生元コンテンツのモデルを表示するレイヤが存在するか否かを判定する。ステップＳ１０１において、派生元コンテンツのモデルを表示するレイヤが存在すると判定された場合、手続きはステップＳ１０２に進み、ステップＳ１０２において、派生検索モデルパラメータ決定部１０５は、入力部１６への使用者の操作に応じた入力制御部５１からのデータを基に、選択された派生元コンテンツを特定する。
【０２１８】
ステップＳ１０３において、レイヤ配置決定部１０２は、選択されているレイヤを示すパラメータと、レイヤの数を記述するパラメータとを参照して、選択されているレイヤの上、すなわち、z軸のプラス方向にレイヤが存在するか否かを判定する。ステップＳ１０３において、選択されているレイヤの上にレイヤが存在すると判定された場合、手続きは、ステップＳ１０４に進む。ステップＳ１０４において、レイヤ配置決定部１０２は、選択されているレイヤの上のレイヤ、すなわち、選択されているレイヤに対してz軸のプラス方向に位置するレイヤのモデルのパラメータを消去する。
【０２１９】
ステップＳ１０５において、レイヤ配置決定部１０２は、選択されているレイヤの上のレイヤ、すなわち、選択されているレイヤに対してz軸のプラス方向に位置するレイヤを消去する。例えば、ステップＳ１０５において、レイヤ配置決定部１０２は、レイヤの数を記述するパラメータの値を１だけ減算することで、レイヤを消去する。
【０２２０】
ステップＳ１０６において、履歴記憶部５８は、派生コンテンツ検索履歴記憶部７５から、選択されているレイヤ上の派生元コンテンツから検索された全ての派生コンテンツの検索の履歴を消去する。
【０２２１】
ステップＳ１０７において、履歴記憶部５８は、派生元コンテンツ選択履歴記憶部７６から、選択されているレイヤ上の派生元コンテンツから検索された全ての派生コンテンツの選択の履歴を消去する。
【０２２２】
ステップＳ１０７の後、手続きは、ステップＳ１０８に進む。
【０２２３】
ステップＳ１０３において、選択されているレイヤの上、すなわち、z軸のプラス方向にレイヤが存在しないと判定された場合、ステップＳ１０４乃至ステップＳ１０７はスキップされて、手続きは、ステップＳ１０８に進む。
【０２２４】
ステップＳ１０８において、履歴記憶部５８は、派生元コンテンツ選択履歴記憶部７６に、派生元コンテンツの選択の履歴を記憶させる。例えば、ステップＳ１０８において、履歴記憶部５８は、派生元コンテンツ選択履歴記憶部７６に、派生元コンテンツを特定する値、派生元コンテンツの選択の順序、その前に選択された派生元コンテンツがある場合、派生元コンテンツが派生コンテンツとして選択されたときのカテゴリなどを示す、派生元コンテンツの選択の履歴を記憶させる。
【０２２５】
ステップＳ１０９において、派生コンテンツ検索部５７のカテゴリ選択部７４は、派生元コンテンツに関する事項である、出演者、監督、ディレクタ、または公表された年度などのうちから、派生元コンテンツのカテゴリを選択する。例えば、ステップＳ１０９において、カテゴリ選択部７４は、派生元コンテンツのメタデータをメタデータデータベース６１から読み出して、派生元コンテンツのメタデータの、出演者、監督、ディレクタ、または公表された年度などの属性のうちから、派生元コンテンツのカテゴリとして、１つの属性を選択する。
【０２２６】
ステップＳ１１０において、派生コンテンツ検索部５７は、選択されたカテゴリの値が、派生元コンテンツの選択されたカテゴリの値と同じである派生コンテンツを検索する。例えば、ステップＳ１１０において、派生コンテンツ検索部５７は、コンテンツのメタデータをメタデータデータベース６１から読み出して、ステップＳ１０９で派生元コンテンツのカテゴリとして選択されたメタデータの属性の属性値（メタデータの値）と同じ属性値のその属性のメタデータが付与されているコンテンツである派生コンテンツを検索する。
【０２２７】
ステップＳ１１１において、履歴記憶部５８は、派生コンテンツ検索履歴記憶部７５に、派生コンテンツの検索の履歴を記憶する。例えば、ステップＳ１１１において、履歴記憶部５８は、派生コンテンツ検索履歴記憶部７５に、検索された派生コンテンツを特定する値と派生元コンテンツを特定する値とを検索の履歴として記憶する。
【０２２８】
ステップＳ１１２において、モデルパラメータ決定部５３の派生検索モデルパラメータ決定部１０５は、これまでの表示に用いていたモデルのパラメータをモデルパラメータ記憶部１０７から読み出す。
【０２２９】
ステップＳ１１３において、モデルパラメータ決定部５３の透明度決定部１０３は、これまでの表示に用いていたモデルの透明度のパラメータを半透明にする。
【０２３０】
ステップＳ１１４において、モデルパラメータ決定部５３のレイヤ配置決定部１０２は、選択されているレイヤの上、すなわち、z軸のプラス方向にレイヤを追加する。例えば、ステップＳ１１４において、レイヤ配置決定部１０２は、レイヤの数を記述するパラメータの値を１だけ加算することで、レイヤを追加する。
【０２３１】
ステップＳ１１５において、モデルパラメータ決定部５３のレイヤ配置決定部１０２は、ステップＳ１１４で追加したレイヤを選択する。例えば、ステップＳ１１５において、レイヤ配置決定部１０２は、選択されているレイヤを示すパラメータに、ステップ１１４で追加したレイヤを示す値を設定することで、追加したレイヤを選択する。
【０２３２】
ステップＳ１１６において、派生検索モデルパラメータ決定部１０５の派生元モデル配置決定部１２１は、派生元コンテンツのモデルの配置を決定する。例えば、ステップＳ１１６において、派生元モデル配置決定部１２１は、これまでに選択されていたレイヤに配置されている派生元コンテンツのサムネイル画像のy軸上の位置、x軸上の位置、およびz軸上の位置を参照して、追加したレイヤにおける派生元コンテンツのモデルであるサムネイル画像のy軸上の位置およびx軸上の位置のそれぞれを、これまでに選択されていたレイヤにおけるy軸上の位置およびx軸上の位置と同じとし、追加したレイヤにおける派生元コンテンツのモデルであるサムネイル画像のz軸上の位置を、これまでに選択されていたレイヤにおけるz軸上の位置からレイヤの距離だけ離れた位置とすることで、追加したレイヤにおける派生元コンテンツのモデルであるサムネイル画像の配置を決定する。
【０２３３】
なお、レイヤのz軸上の位置は、レイヤそれぞれにパラメータで記述されるか、z軸上のレイヤ間の距離が予め定められている。
【０２３４】
ステップＳ１１７において、フォーカス位置決定部１０１は、派生元コンテンツのモデルにフォーカスするようにフォーカスの位置を決める。
【０２３５】
ステップＳ１１８において、派生検索モデルパラメータ決定部１０５の派生モデル構成配置決定部１２２は、派生元コンテンツのモデルと派生コンテンツのモデルとが１列に並ぶように、派生元コンテンツのモデルの位置を基準に、派生コンテンツのモデルの構成と配置とを決定する。すなわち、ステップＳ１１８において、派生モデル構成配置決定部１２２は、派生元コンテンツのサムネイル画像と派生コンテンツのサムネイル画像とが１列に並ぶように、派生元コンテンツのサムネイル画像の位置を基準に、派生コンテンツのサムネイル画像の数やその順序とサムネイル画像のそれぞれの位置とを決定する。
【０２３６】
ステップＳ１１９において、派生検索モデルパラメータ決定部１０５の詳細情報モデル配置決定部１２３は、派生元コンテンツのモデルの位置を基準に、派生元コンテンツの詳細情報のモデルの配置を決定する。例えば、ステップＳ１１９において、詳細情報モデル配置決定部１２３は、派生元コンテンツのサムネイル画像のy軸上の位置、x軸上の位置、およびz軸上の位置を基準に、図９においてBで示される派生元コンテンツの詳細情報のテキストのモデルのy軸上の位置、x軸上の位置、およびz軸上の位置を決める。
【０２３７】
ステップＳ１２０において、派生検索モデルパラメータ決定部１０５の動画像モデル配置決定部１２４は、派生元コンテンツのモデルの位置を基準に、派生元コンテンツの動画像を表示させる動画像のモデルの配置を決定する。例えば、ステップＳ１２０において、動画像モデル配置決定部１２４は、派生元コンテンツのサムネイル画像のy軸上の位置、x軸上の位置、およびz軸上の位置を基準に、図９においてAで示される派生元コンテンツの動画像のモデルのy軸上の位置、x軸上の位置、およびz軸上の位置を決める。
【０２３８】
ステップＳ１２１において、モデルパラメータ記憶部１０７は、これまでに決定したモデルのパラメータを記憶して、レイヤの追加の処理は終了する。
【０２３９】
ステップＳ１０１において、派生元コンテンツのモデルを表示するレイヤが存在しないと判定された場合、ステップＳ１０２乃至ステップＳ１２１はスキップされて、レイヤの追加の処理は終了する。
【０２４０】
次に、図３１のフローチャートを参照して、ステップＳ５６に対応するラインの追加の処理を説明する。ステップＳ１４１において、モデルパラメータ決定部５３の派生検索モデルパラメータ決定部１０５は、これまでの表示に用いていたモデルのパラメータをモデルパラメータ記憶部１０７から読み出す。
【０２４１】
ステップＳ１４２において、派生検索モデルパラメータ決定部１０５は、選択されているラインの上または下にラインが存在するか否か、すなわち、y軸のプラス方向またはマイナス方向にラインが存在するか否かを判定する。ステップＳ１４２において、選択されているラインの上または下にラインが存在すると判定された場合、手続きはステップＳ１４３に進み、ステップＳ１４３において、派生コンテンツ検索部５７のカテゴリ選択部７４は、カテゴリを新たに選択する。例えば、ステップＳ４３において、カテゴリ選択部７４は、派生元コンテンツのメタデータをメタデータデータベース６１から読み出して、派生元コンテンツのメタデータの、出演者、監督、ディレクタ、または公表された年度などの属性であって、これまでにカテゴリとして選択されていない属性のうちから、カテゴリとして、１つの属性を新たに選択する。
【０２４２】
ステップＳ１４４において、派生コンテンツ検索部５７は、選択されたカテゴリの値が、派生元コンテンツの選択されたカテゴリの値と同じである派生コンテンツを検索する。例えば、ステップＳ１４４において、派生コンテンツ検索部５７は、コンテンツのメタデータをメタデータデータベース６１から読み出して、ステップＳ１４３で派生元コンテンツのカテゴリとして選択されたメタデータの属性の属性値（メタデータの値）と同じ属性値のその属性のメタデータが付与されているコンテンツである派生コンテンツを検索する。
【０２４３】
ステップＳ１４５において、履歴記憶部５８は、ステップＳ１１１と同様に、派生コンテンツ検索履歴記憶部７５に、派生コンテンツの検索の履歴を記憶する。
【０２４４】
ステップＳ１４６において、派生検索モデルパラメータ決定部１０５の派生モデル構成配置決定部１２２は、新たな派生コンテンツのモデルとこれまでの派生コンテンツのモデルとが並列に並ぶように、これまでの表示に用いていたモデルの位置を基準に、追加する派生コンテンツのモデルの構成と配置とを決定する。
【０２４５】
すなわち、ステップＳ１４６において、派生モデル構成配置決定部１２２は、新たな派生コンテンツのサムネイル画像が並ぶラインとこれまでの派生コンテンツのサムネイル画像が並ぶラインとが平行に配置されるように、これまでの表示に用いていた派生コンテンツのサムネイル画像の位置を基準に、追加する派生コンテンツのサムネイル画像のそれぞれの位置を決定する。
【０２４６】
ステップＳ１４７において、モデルパラメータ記憶部１０７は、ステップＳ１４６で決定したモデルのパラメータを記憶して、ラインの追加の処理は終了する。
【０２４７】
図３２は、ステップＳ５８の１つ前のレイヤへの戻りの処理を説明するフローチャートである。ステップＳ１６１において、モデルパラメータ決定部５３の派生検索モデルパラメータ決定部１０５は、これまでの表示に用いていたモデルのパラメータをモデルパラメータ記憶部１０７から読み出す。
【０２４８】
ステップＳ１６２において、モデルパラメータ決定部５３の透明度決定部１０３は、選択されているレイヤのモデルの透明度のパラメータを半透明にする。
【０２４９】
ステップＳ１６３において、モデルパラメータ決定部５３のレイヤ配置決定部１０２は、選択されているレイヤの１つ下のレイヤ、すなわち、選択されているレイヤに対してz軸のマイナス方向に隣接するレイヤを新たに選択する。例えば、ステップＳ１６３において、レイヤ配置決定部１０２は、選択されているレイヤを示すパラメータに、これまでに選択されていたレイヤの１つ下のレイヤを示す値を設定することで、レイヤを選択する。
【０２５０】
ステップＳ１６４において、モデルパラメータ決定部５３の透明度決定部１０３は、新たに選択されたレイヤのモデルの透明度のパラメータを不透明にする。
【０２５１】
ステップＳ１６５において、モデルパラメータ記憶部１０７は、ステップＳ１６２乃至ステップＳ１６４で決定したモデルのパラメータを記憶して、１つ前のレイヤへの戻りの処理は終了する。
【０２５２】
次に、図３３のフローチャートを参照して、集約モードの表示の処理を説明する。ステップＳ１８１において、レイヤ配置決定部１０２は、モデルパラメータ記憶部１０７から、これまでの表示に用いていたモデルのパラメータを読み出す。
【０２５３】
ステップＳ１８２において、レイヤ配置決定部１０２は、これまでに選択されているレイヤの上に、すなわち、これまでに選択されているレイヤに対してz軸のプラス方向に、カメラ視点の視線に対して直交するレイヤを追加する。例えば、ステップＳ１８２において、レイヤ配置決定部１０２は、レイヤの数を記述するパラメータの値を１だけ加算するとともに、x軸、y軸、およびz軸に対するレイヤの配置を記述するパラメータに、カメラ視点の視線に対して直交する位置を示す値を設定することにより、カメラ視点の視線に対して直交するレイヤを追加する。
【０２５４】
ステップＳ１８３において、レイヤ配置決定部１０２は、ステップＳ１８２で追加したレイヤを選択する。例えば、ステップＳ１８３において、レイヤ配置決定部１０２は、選択されているレイヤを示すパラメータに、ステップ１８２で追加したレイヤを示す値を設定することで、追加したレイヤを選択する。
【０２５５】
ステップＳ１８４において、集約モデルパラメータ決定部１０６は、履歴記憶部５８の派生元コンテンツ選択履歴記憶部７６から、派生元コンテンツの選択の履歴を読み出す。ステップＳ１８５において、集約モデルパラメータ決定部１０６は、派生元コンテンツの選択の順に、派生元コンテンツのモデル、すなわち、例えば、派生元コンテンツのサムネイル画像を、表示部３１の画面に対して横に１列に配置する。
【０２５６】
ステップＳ１８６において、集約モデルパラメータ決定部１０６は、派生元コンテンツのモデルの間に、すなわち、派生元コンテンツのサムネイル画像の間に、カテゴリを示すモデルを配置する。
【０２５７】
ステップＳ１８７において、３次元モデル生成部５４は、決定されたパラメータを基に、モデルひな形データ７２を参照して、例えば、VRMLによって記述される３次元モデルを生成する。
【０２５８】
ステップＳ１８８において、モード決定部５２の視点指示部７１は、x軸、y軸、およびz軸の３次元座標において、x軸およびy軸で定まるXY平面に対して斜めの、フォーカスされているモデルを見るカメラ視点であって、ステップＳ１８２で追加したレイヤに視線が直交するカメラ視点を表示制御部５５に指示する。
【０２５９】
ステップＳ１８９において、表示制御部の描画部７３は、ステップＳ１８８で指示された視点から、ステップＳ１８７において生成された３次元モデルを描画して、３次元モデルを表示するための表示データを生成する。
【０２６０】
ステップＳ１９０において、表示制御部５５は、表示部３１に、ステップＳ１８９において生成された表示データにより、３次元モデルを表示させて、手続きは、ステップＳ１８７に戻り、上述した処理を繰り返す。
【０２６１】
このように、派生元コンテンツのモデルと、派生コンテンツのモデルとをそれぞれ異なるレイヤに表示するようにしたので、派生元コンテンツと派生コンテンツとの関連が一目でわかるようになる。
【０２６２】
次に、図３４乃至図５０を参照して、タッチパネルである入力部１６が表示部３１に重ねて設けられている場合の、トップページモード、派生検索モード、再生モード、集約モード、および俯瞰モードにおける、使用者による入力部１６への操作および出力部１７の表示部３１に表示される画面について説明する。例えば、この場合、パーソナルコンピュータは、携帯型とされる。
【０２６３】
以下、音楽のコンテンツを例に説明する。
【０２６４】
図３４乃至図３７は、トップページモードの画面およびトップページモードからの他の表示モードへの遷移の例を示す図である。
【０２６５】
表示の処理が開始されると、図３４の上側に示されるように、トップページモードの画面が出力部１７の表示部３１に表示される。トップページモードの画面において、画面の上側に、マイページ、J-pop,Rock,Pops,Jazz,Dance,R&B,Soundtrack、その他などのジャンルを選択するためのボタンが横１列に配置されている。ジャンルを選択するためのボタンのいずれか１つがフォーカスされるか、または選択される。
【０２６６】
ジャンルを選択するためのボタンのうちの、選択されているかまたはフォーカスされているボタンのジャンルに属するコンテンツのサムネイル画像が、トップページモードの画面の下側に横１列に配置される。例えば、この場合、サムネイル画像は、いわゆるジャケットの画像またはライナーの画像が縮小されたものである。
【０２６７】
表示の処理が開始された場合、デフォルトとして、１つのボタンが選択される。例えば、図３４に示されるJ-popであるジャンルのボタンが選択される。
【０２６８】
また、表示の処理が開始された場合、デフォルトとして選択されているボタンのジャンルに属するコンテンツのサムネイル画像のうちの、画面の左端のサムネイル画像がデフォルトとしてフォーカスされる。例えば、図３４に示されるように、J-popであるジャンルに属するコンテンツのサムネイル画像のうちの、画面の左端のサムネイル画像がデフォルトとしてフォーカスされる。
【０２６９】
すなわち、表示の処理が開始された場合、ジャンルを選択するためのボタンのフォーカスが無効になり、サムネイル画像のフォーカスが有効になる。
【０２７０】
使用者が、表示部３１の上に設けられているタッチパネルである入力部１６の操作される領域のうち、所望のジャンルを選択するためのボタンの領域に軽く触れると、すなわち、ジャンルを選択するためのボタンがタップされると、タップされたジャンルのボタンがフォーカスされる。すなわち、ジャンルを選択するためのボタンであって、タップされたジャンルのボタンに、フォーカスが移動する。
【０２７１】
そして、フォーカスされているボタンのジャンルに属するコンテンツのサムネイル画像が、トップページモードの画面の下側に横１列に配置される。
【０２７２】
ジャンルを選択するためのボタンがタップされると、ジャンルを選択するためのボタンのフォーカスが有効になり、サムネイル画像のフォーカスが無効になる。
【０２７３】
図３５に示されるように、コンテンツのサムネイル画像がタップされると、トップページモードの画面において、タップされたサムネイル画像がフォーカスされる。すなわち、タップされたサムネイル画像に、フォーカスが移動する。
【０２７４】
すなわち、コンテンツのサムネイル画像がタップされると、ジャンルを選択するためのボタンのフォーカスが無効になり、サムネイル画像のフォーカスが有効になる。
【０２７５】
さらに、図３６に示されるように、使用者が、表示部３１の上に設けられているタッチパネルである入力部１６の操作される領域のうち、所望のコンテンツのサムネイル画像の領域にVの字を描くと、サムネイル画像が選択されて、その結果、サムネイル画像のコンテンツが選択されて、パーソナルコンピュータの表示モードは、再生モードに遷移し、その選択されたコンテンツの再生が開始される。
【０２７６】
再生モードにおいて、図３６の下側に示されるように、コンテンツが音楽である場合、フォーカスされていたサムネイル画像に代えてコンテンツである音楽の解説が画像およびテキストで表示されて、そのコンテンツである音楽がスピーカ３２から出力される。
【０２７７】
図３７に示されるように、使用者が、表示部３１の上に設けられているタッチパネルである入力部１６の操作される領域のうち、所望のコンテンツのサムネイル画像の領域を囲うように右回りの円を描くと、右回りの円で囲われたサムネイル画像のコンテンツが派生元コンテンツとして選択され、パーソナルコンピュータの表示モードは、派生検索モードに遷移する。
【０２７８】
派生検索モードにおいて、図９乃至図１７を参照して説明した場合と同様に、図３７の下側に示されるように、派生元コンテンツに関連するコンテンツである派生コンテンツのサムネイル画像を表示するためのレイヤが、トップページモードの画面を表示するためのレイヤに重ねて追加される。
【０２７９】
派生元コンテンツに関連するコンテンツである派生コンテンツのサムネイル画像を表示するためのレイヤは、トップページモードの画面を表示するためのレイヤに対して、所定の距離だけ離れて配置される。
【０２８０】
右回りの円で囲われたサムネイル画像が右回りの円で囲われて、パーソナルコンピュータの表示モードが、派生検索モードに遷移した場合、派生コンテンツのサムネイル画像を表示するためのレイヤに配置される派生元コンテンツのサムネイル画像がフォーカスされる。
【０２８１】
フォーカスされているサムネイル画像は、表示部３１の画面の中央に表示される。
【０２８２】
図３７に示されるように、派生検索モードにおいて、カメラの視線は、レイヤに対して斜めとされる。
【０２８３】
図３８に示されるように、派生検索モードにおいて、派生元コンテンツのサムネイル画像または派生コンテンツのサムネイル画像がタップされると、タップされたサムネイル画像がフォーカスされる。すなわち、タップされたサムネイル画像にフォーカスが移動する。
【０２８４】
タップによりサムネイル画像のフォーカスが移動した場合、フォーカスされているサムネイル画像は、表示部３１の画面の中央に表示される。
【０２８５】
派生検索モードにおいて、使用者が、表示部３１の上に設けられているタッチパネルである入力部１６の操作される領域のうち、派生元コンテンツのサムネイル画像または所望の派生コンテンツのサムネイル画像の領域を始点としてサムネイル画像の上方向または下方向に連続して軽く触れると、すなわち、派生元コンテンツのサムネイル画像または所望の派生コンテンツのサムネイル画像が、サムネイル画像の上方向または下方向にドラッグされると、図３９に示されるように、１列に配置されている、所定のカテゴリで、派生元コンテンツにそれぞれ関連する１または複数の派生コンテンツのサムネイル画像に対して、平行する位置に、新たなカテゴリで、派生元コンテンツにそれぞれ関連する１または複数の派生コンテンツのサムネイル画像が、１列に配置される。
【０２８６】
なお、音楽であるコンテンツにおいて、ジャンル、最初にリリースされた場所、作詞者、作曲者、編曲者、プロデューサ、レーベル、共演者、または録音されたスタジオなどがカテゴリとされる。
【０２８７】
さらに、図４０に示されるように、使用者が、表示部３１の上に設けられているタッチパネルである入力部１６の操作される領域のうち、所望の派生コンテンツのサムネイル画像の領域にVの字を描くと、派生コンテンツのサムネイル画像が選択されて、その結果、その派生コンテンツが選択されて、パーソナルコンピュータの表示モードは、再生モードに遷移し、その選択されたコンテンツの再生が開始される。
【０２８８】
さらに、図４１に示されるように、派生検索モードにおいて、使用者が、表示部３１の上に設けられているタッチパネルである入力部１６の操作される領域のうち、派生元コンテンツのサムネイルを除いた、派生コンテンツのサムネイル画像のいずれかの領域を囲うように右回りの円を描くと、右回りの円で囲われたサムネイル画像の派生コンテンツが派生元コンテンツとして新たに選択され、新たに選択された派生元コンテンツに関連するコンテンツである派生コンテンツのサムネイル画像を表示するためのレイヤが、これまでの派生コンテンツのサムネイル画像を表示するためのレイヤに重ねて追加される。新たに選択された派生元コンテンツに関連するコンテンツである派生コンテンツのサムネイル画像を表示するためのレイヤは、これまでの派生コンテンツのサムネイル画像を表示するためのレイヤに対して、重ねて配置される。
【０２８９】
新たに選択された派生元コンテンツに関連するコンテンツである派生コンテンツのサムネイル画像を表示するためのレイヤ上のそのサムネイル画像のいずれかがフォーカスされる。
【０２９０】
図４１の下側に示されるように、これまでの派生コンテンツのサムネイル画像を表示するためのレイヤにおける画像は、消去される。また、新たに選択された派生元コンテンツのサムネイル画像と、１つ前の派生元コンテンツのサムネイル画像とを結ぶ直線が表示される。
【０２９１】
これにより、１つ前の派生元コンテンツと、新たに選択された派生元コンテンツとを簡単に知ることができるようになる。
【０２９２】
さらにまた、図４２に示されるように、新たに選択された派生元コンテンツに関連するコンテンツである派生コンテンツのサムネイル画像を表示するためのレイヤが追加された状態で、使用者が、表示部３１の上に設けられているタッチパネルである入力部１６の操作される領域のうち、新たに選択された派生元コンテンツのサムネイル画像の領域を囲うように左回りの円を描くと、図４２の下側に示されるように、フォーカスは、１つ前の派生元コンテンツのサムネイル画像とその派生元コンテンツに関連する派生コンテンツのサムネイル画像が表示されるレイヤに移動し、新たに選択された派生元コンテンツに関連する派生コンテンツのサムネイル画像を表示するためのレイヤにおける画像は、消去される。
【０２９３】
図４３に示されるように、派生検索モードにおいて、使用者が、表示部３１の上に設けられているタッチパネルである入力部１６の操作される領域に、表示部３１の画面の右上を始点として左下に向かう直線を描くと、パーソナルコンピュータの表示モードは、集約モードに遷移する。
【０２９４】
集約モードにおいて、図４３の下側に示されるように、派生元コンテンツのサムネイル画像が、表示部３１の画面の横方向に１列に、派生元コンテンツの選択の順に、左から並べて表示される。
【０２９５】
すなわち、集約モードにおいて、画面の左端のサムネイル画像は、最初に選択された派生元コンテンツのサムネイル画像であり、画面の左から２番目のサムネイル画像は、最初に選択された派生元コンテンツに関連する派生コンテンツの中から選択された派生元コンテンツであって、２番目に選択された派生元コンテンツのサムネイル画像である。画面の左から３番目のサムネイル画像は、２番目に選択された派生元コンテンツに関連する派生コンテンツの中から選択された派生元コンテンツであって、３番目に選択された派生元コンテンツのサムネイル画像である。
【０２９６】
すなわち、集約モードにおいて、その左側にサムネイル画像が配置されているサムネイル画像は、その左側のサムネイル画像のコンテンツが派生元コンテンツとして選択された場合、その左側のサムネイル画像の派生元コンテンツに関連する派生コンテンツの中から選択された派生元コンテンツのサムネイル画像である。
【０２９７】
集約モードにおいて、横に隣接するサムネイル画像は、横線で結ばれている。
【０２９８】
さらに、集約モードにおいて、派生元コンテンツとして選択されたコンテンツのサムネイル画像と、その派生元コンテンツに関連する派生コンテンツの中から選択された派生元コンテンツのサムネイル画像との間には、関連する事項であるカテゴリと、カテゴリの具体的な内容とが表示される。
【０２９９】
派生検索モードにおいて、入力部１６のキーボードのPキーが継続して押圧され、ドラッグされると、パーソナルコンピュータの表示モードは、俯瞰モードに遷移する。
【０３００】
図４４に示されるように、俯瞰モードにおいて、カメラの視点は、サムネイル画像またはボタンなどから離れる方向に移動させられる。すなわち、俯瞰モードにおいて、カメラの視点が引かれる。また、カメラの視点の位置は、ドラッグの方向に応じて、移動させられる。
【０３０１】
図４５に示されるように、派生検索モードにおいて、使用者が、表示部３１の上に設けられているタッチパネルである入力部１６の操作される領域のうち、最初に選択された派生元コンテンツのサムネイル画像の領域を囲うように左回りの円を描くと、パーソナルコンピュータの表示モードは、トップページモードに遷移する。
【０３０２】
図４５に示されるように、トップページモードにおいて、トップページは、表示部３１の画面の全体に、縦横の方向が一致するように表示される。
【０３０３】
フォーカスは、派生検索モードに遷移する前のトップページモードにおいて、派生元コンテンツとして選択されたコンテンツのサムネイル画像に移動する。
【０３０４】
また、図４６で示されるように、再生モードにおいて、使用者が、表示部３１の上に設けられているタッチパネルである入力部１６の操作される領域にVの字を描くと、コンテンツの再生が終了させられて、パーソナルコンピュータの表示モードは、トップページモードまたは派生検索モードに遷移する。例えば、再生モードの前のモードがトップページモードである場合、コンテンツの再生が終了すると、パーソナルコンピュータの表示モードがトップページモードに遷移し、再生モードの前のモードが派生検索モードある場合、コンテンツの再生が終了すると、パーソナルコンピュータの表示モードが派生検索モードに遷移する。
【０３０５】
図４７で示されるように、集約モードにおいて、サムネイル画像がタップされると、タップされたサムネイル画像がフォーカスされる。フォーカスされているサムネイル画像は、表示部３１の画面の中央に表示される。
【０３０６】
図４８に示されるように、集約モードにおいて、使用者が、表示部３１の上に設けられているタッチパネルである入力部１６の操作される領域に、右回りの円を描くと、派生元コンテンツとして選択されたコンテンツがお気に入りに登録され、パーソナルコンピュータの表示モードは、トップページモードに遷移する。集約モードからトップページモードに遷移すると、これまでの派生検索モードにおける派生コンテンツの検索の過程が消去される。
【０３０７】
また、図４９に示されるように、集約モードにおいて、使用者が、表示部３１の上に設けられているタッチパネルである入力部１６の操作される領域に、表示部３１の画面の右上を始点として左下に向かう直線を描くか、または、左回りの円を描くと、パーソナルコンピュータの表示モードは、派生検索モードに遷移する。派生検索モードに遷移すると、派生元コンテンツの選択の順に、左から並べて表示される派生元コンテンツのサムネイル画像、並びに関連する事項であるカテゴリおよびカテゴリの具体的な内容の表示は消去される。
【０３０８】
図５０に示されるように俯瞰モードにおいて、入力部１６のキーボードのPキーを離すと、パーソナルコンピュータの表示モードは、派生検索モードに遷移し、カメラの視点が元に戻り、フォーカスされているサムネイル画像が、表示部３１の画面の中央に表示される。
【０３０９】
このように、タップやドラッグなどの操作により、簡単に、モードを変えさせたり、派生元コンテンツを選択したりすることができる。
【０３１０】
なお、コンテンツのメタデータは、ネットワークおよび通信部１９を介して、サーバなどの他の機器から取得するようにしてもよい。
【０３１１】
次に、派生コンテンツの検索などの具体例について説明する。
【０３１２】
図５１は、プログラムを実行するパーソナルコンピュータの機能の構成の他の例を示すブロック図である。パーソナルコンピュータがプログラムを実行することにより、入力部１６を制御する入力制御部５１、モード決定部５２、モデルパラメータ決定部５３、３次元モデル生成部５４、表示部３１を制御する表示制御部５５、ジャンル別コンテンツ選択部５６、派生コンテンツ検索部５７、履歴記憶部５８、再生部５９、通信部１９を制御する通信制御部６０、メタデータデータベース６１、お気に入りデータベース６２、コンテンツデータベース６３、派生コンテンツ視聴情報取得部２０１、視聴情報データベース２０２、および派生コンテンツ表示方式指示部２０３が実現される。
【０３１３】
図５１において、図２に示す場合と同様の部分には同一の符号を付してあり、その説明は省略する。
【０３１４】
派生コンテンツ検索部５７は、入力制御部５１からの、入力部１６への使用者の操作を示すデータに応じて、選択された派生元コンテンツに付与されているメタデータをメタデータデータベース６１から取得する。さらに、派生コンテンツ検索部５７は、メタデータデータベース６１から、派生元コンテンツに付与されているメタデータと同じカテゴリの同じ値のメタデータであって、派生元コンテンツと異なるコンテンツに付与されているメタデータを取得することにより、派生コンテンツを検索する。その結果、派生コンテンツ検索部５７は、派生コンテンツを特定する特定情報を取得する。派生コンテンツを特定する特定情報は、コンテンツ名またはID番号などである。
【０３１５】
派生コンテンツ検索部５７は、派生コンテンツを特定する特定情報を派生コンテンツ視聴情報取得部２０１に供給する。
【０３１６】
派生コンテンツ視聴情報取得部２０１は、使用者がどのコンテンツをどの程度視聴したか、または使用者がどのコンテンツを所持しているかを示す視聴情報を格納している視聴情報データベース２０２から、派生コンテンツ検索部５７において検索された派生コンテンツからなる群である派生コンテンツ群についての、視聴情報を取得する。
【０３１７】
すなわち、派生コンテンツ視聴情報取得部２０１は、特定情報で特定される派生コンテンツのそれぞれについての視聴情報を視聴情報データベース２０２から取得する。
【０３１８】
派生コンテンツ視聴情報取得部２０１は、派生コンテンツ群についての視聴情報を派生コンテンツ表示方式指示部２０３に供給する。派生コンテンツ表示方式指示部２０３に供給される視聴情報は、派生コンテンツのそれぞれについて、使用者がどの程度視聴したか、または使用者が所持しているか（コンテンツデータベース６３に格納されているか）などを示す。
【０３１９】
派生コンテンツ表示方式指示部２０３は、派生コンテンツ視聴情報取得部２０１から供給された派生コンテンツ群についての視聴情報に従って、派生コンテンツ群に属する派生コンテンツのモデルのそれぞれの表示のさせ方を決定する。派生コンテンツ表示方式指示部２０３は、派生コンテンツのモデルのそれぞれの表示のさせ方を示す情報をモデルパラメータ決定部５３に供給する。
【０３２０】
例えば、図５２Ａに示されるように、派生コンテンツ表示方式指示部２０３は、使用者が所持しているコンテンツである派生コンテンツのサムネイル画像の色を薄く表示させ、使用者が所持していないコンテンツである派生コンテンツのサムネイル画像の色を濃く表示させるように、派生コンテンツのモデルの表示のさせ方を決定する。また、例えば、派生コンテンツ表示方式指示部２０３は、使用者が視聴したことのあるコンテンツである派生コンテンツのサムネイル画像の色を薄く表示させ、使用者が視聴したことのないコンテンツである派生コンテンツのサムネイル画像の色を濃く表示させるように、派生コンテンツのモデルの表示のさせ方を決定する。
【０３２１】
より具体的には、派生コンテンツ表示方式指示部２０３は、使用者が所持している派生コンテンツの、図５２Ａにおいてｂで示されるサムネイル画像の色を薄く表示させ、使用者が所持していない派生コンテンツの、図５２Ａにおいてｅで示されるサムネイル画像またはｆで示されるサムネイル画像の色を濃く表示させるように、派生コンテンツのモデルの表示のさせ方を決定する。
【０３２２】
例えば、図５２Ｂに示されるように、派生コンテンツ表示方式指示部２０３は、使用者がよく視聴するコンテンツである派生コンテンツのサムネイル画像を、派生元コンテンツのサムネイル画像のより近くに表示させ、使用者があまり視聴しないコンテンツである派生コンテンツのサムネイル画像を、派生元コンテンツのサムネイル画像から離れて表示させるように、派生コンテンツのモデルの表示のさせ方を決定する。
【０３２３】
より具体的には、派生コンテンツ表示方式指示部２０３は、１２回視聴された派生コンテンツの、図５２Ｂにおいてｄで示されるサムネイル画像を、派生元コンテンツの、図５２Ｂにおいてａで示されるサムネイル画像のより近くに表示させ、７回視聴された派生コンテンツの、図５２Ｂにおいてｃで示されるサムネイル画像を、派生元コンテンツの、図５２Ｂにおいてａで示されるサムネイル画像から離れて表示させるように、派生コンテンツのモデルの表示のさせ方を決定する。
【０３２４】
また、例えば、図５２Ｃに示されるように、派生コンテンツ表示方式指示部２０３は、派生元コンテンツのサムネイル画像と派生コンテンツのサムネイル画像との間を、派生コンテンツの視聴の頻度に応じた距離とするように、派生コンテンツのモデルの表示のさせ方を決定する。または、派生コンテンツ表示方式指示部２０３は、派生元コンテンツのサムネイル画像と派生コンテンツのサムネイル画像との間を、派生コンテンツの視聴の頻度の逆数に応じた距離とするように、派生コンテンツのモデルの表示のさせ方を決定するようにしてもよい。
【０３２５】
より具体的には、派生コンテンツ表示方式指示部２０３は、派生元コンテンツのサムネイル画像と派生コンテンツのサムネイル画像との間を、それぞれ１２回、８回、または７回である派生コンテンツの視聴の頻度の逆数に応じた距離とするように、派生コンテンツのモデルの表示のさせ方を決定するようにしてもよい。
【０３２６】
逆に、例えば、図５２Ｄに示されるように、派生コンテンツ表示方式指示部２０３は、使用者があまり視聴しないコンテンツである派生コンテンツのサムネイル画像を、派生元コンテンツのサムネイル画像のより近くに表示させ、使用者がよく視聴するコンテンツである派生コンテンツのサムネイル画像を、派生元コンテンツのサムネイル画像から離れて表示させるように、派生コンテンツのモデルの表示のさせ方を決定するようにしてもよい。
【０３２７】
図５３は、派生コンテンツの検索および表示方式の指定の処理の例を説明するフローチャートである。ステップＳ３０１において、派生コンテンツ検索部５７は、メタデータデータベース６１から、派生元コンテンツのメタデータを取得する。
【０３２８】
ステップＳ３０２において、派生コンテンツ検索部５７は、派生元コンテンツのメタデータを基に、派生コンテンツを検索する。すなわち、ステップＳ３０２において、派生コンテンツ検索部５７は、派生元コンテンツに付与されているメタデータと同じカテゴリの同じ値のメタデータであって、派生元コンテンツと異なるコンテンツに付与されているメタデータをメタデータデータベース６１から取得し、派生元コンテンツと同じ値のメタデータが付与されているコンテンツである派生コンテンツを特定する特定情報を取得することにより、派生コンテンツを検索する。
【０３２９】
ステップＳ３０３において、派生コンテンツ視聴情報取得部２０１は、ステップＳ３０２で検索された派生コンテンツの視聴情報を視聴情報データベース２０２から取得する。例えば、ステップＳ３０３において、派生コンテンツ視聴情報取得部２０１は、派生コンテンツを特定する特定情報をキーとして視聴情報を視聴情報データベース２０２に要求し、視聴情報データベース２０２から読み出されてくる、特定情報で特定される派生コンテンツの視聴情報を取得する。
【０３３０】
ステップＳ３０４において、派生コンテンツ表示方式指定部２０３は、ステップＳ３０３で取得した視聴情報を基に、派生コンテンツのモデルの表示方式をモデルパラメータ決定部５３に指定して、派生コンテンツの検索および表示方式の指定の処理は終了する。
【０３３１】
このように、使用者によるコンテンツの視聴の状況によってサムネイル画像などのモデルの表示方式が変更されるので、使用者が、まだ視聴していない新しいコンテンツを容易に探せるようになったり、おなじみのコンテンツに簡単にアクセスしたりできるようになる。
【０３３２】
次に、類似度を基にした派生コンテンツの検索について説明する。
【０３３３】
図５４は、プログラムを実行するパーソナルコンピュータの機能の構成のさらに他の例を示すブロック図である。パーソナルコンピュータがプログラムを実行することにより、入力部１６を制御する入力制御部５１、モード決定部５２、モデルパラメータ決定部５３、３次元モデル生成部５４、表示部３１を制御する表示制御部５５、ジャンル別コンテンツ選択部５６、派生コンテンツ検索部５７、履歴記憶部５８、再生部５９、通信部１９を制御する通信制御部６０、メタデータデータベース６１、お気に入りデータベース６２、コンテンツデータベース６３、類似度算出部２４１、および派生コンテンツ表示方式指示部２４２が実現される。
【０３３４】
図５４において、図２に示す場合と同様の部分には同一の符号を付してあり、その説明は省略する。
【０３３５】
類似度算出部２４１は、派生元コンテンツと派生コンテンツとの類似度を算出し、派生コンテンツのモデルの並び順を決定する。ここで、類似度は、コサイン距離またはユークリッド距離などである。類似度算出部２４１は、算出した類似度および派生コンテンツの並び順を示す情報を派生コンテンツ表示方式指示部２４２に供給する。
【０３３６】
例えば、類似度算出部２４１は、図５５に示されるメタデータを基に、図５６に示される類似度を算出する。
【０３３７】
図５５において、コンテンツ１は、派生元コンテンツであり、コンテンツ２乃至コンテンツ５は、派生コンテンツである。派生元コンテンツであるコンテンツ１についての、メタデータ１の値は、７であり、メタデータ２の値は、３であり、メタデータ３の値は、０であり、メタデータ４の値は、９であり、メタデータ５の値は、５である。
【０３３８】
また、派生コンテンツであるコンテンツ２乃至コンテンツ５のそれぞれについての、メタデータ１の値は、それぞれ、５，４，６，５であり、メタデータ２の値は、それぞれ、２，４，４，０であり、メタデータ３の値は、それぞれ、４，５，７，８であり、メタデータ４の値は、それぞれ、９，２，５，６であり、メタデータ５の値は、それぞれ、７，４，３，８である。
【０３３９】
類似度算出部２４１は、図５５に示されるメタデータを基に、コンテンツ２乃至コンテンツ５の派生コンテンツについて、ユークリッド距離の逆数である類似度を算出する。例えば、類似度算出部２４１は、図５５に示されるメタデータを基に、図５６に示されるように、コンテンツ２について、５．０００であるユークリッド距離を算出し、コンテンツ３について、９．２２０であるユークリッド距離を算出し、コンテンツ４について、８．４２６であるユークリッド距離を算出し、コンテンツ５について、９．７４７であるユークリッド距離を算出する。そして、類似度算出部２４１は、ユークリッド距離の逆数を算出して、その結果を類似度とする。
【０３４０】
この場合、類似度算出部２４１は、類似度の大きい順、すなわち、例えば、図５６で示されるコンテンツ１からのユークリッド距離の短い順である、コンテンツ２、コンテンツ４、コンテンツ３、コンテンツ５の順に、派生コンテンツのモデルの並び順を決定する。
【０３４１】
派生コンテンツ表示方式指示部２４２は、類似度算出部２４１から供給された、類似度および派生コンテンツの並び順を示す情報に従って、派生コンテンツのモデルのそれぞれの表示のさせ方を決定する。派生コンテンツ表示方式指示部２４２は、派生コンテンツのモデルのそれぞれの表示のさせ方を示す情報をモデルパラメータ決定部５３に供給する。
【０３４２】
例えば、派生コンテンツ表示方式指示部２４２は、類似度が低い（派生元コンテンツとより異なる）派生コンテンツのサムネイル画像の色を薄く表示させ、類似度が高い（派生元コンテンツにより類似している）派生コンテンツのサムネイル画像の色を濃く表示させるように、派生コンテンツのモデルの表示のさせ方を決定する。
【０３４３】
また、例えば、派生コンテンツ表示方式指示部２４２は、類似度が高い（派生元コンテンツにより類似している）派生コンテンツのサムネイル画像を、派生元コンテンツのサムネイル画像のより近くに表示させ、類似度が低い（派生元コンテンツとより異なる）派生コンテンツのサムネイル画像を、派生元コンテンツのサムネイル画像から離れて表示させるように、派生コンテンツのモデルの表示のさせ方を決定する。
【０３４４】
なお、、派生コンテンツ表示方式指示部２４２は、類似度に応じて、派生コンテンツのサムネイル画像の色の濃さと、派生元コンテンツのサムネイル画像から派生コンテンツのサムネイル画像までの距離との両方を変えるようにしてもよい。
【０３４５】
図５７は、派生コンテンツの検索および表示方式の指定の処理の他の例を説明するフローチャートである。ステップＳ３２１において、派生コンテンツ検索部５７は、メタデータデータベース６１から、派生元コンテンツのメタデータを取得する。
【０３４６】
ステップＳ３２２において、派生コンテンツ検索部５７は、ステップＳ３０２と同様に、派生元コンテンツのメタデータを基に、派生コンテンツを検索する。
【０３４７】
ステップＳ３２３において、類似度算出部２４１は、派生元コンテンツのメタデータと派生コンテンツのメタデータとから、派生元コンテンツと派生コンテンツとの類似度を算出する。例えば、ステップＳ３２３において、類似度算出部２４１は、ユークリッド距離若しくはその逆数またはコサイン距離である、派生元コンテンツと派生コンテンツとの類似度を算出する。
【０３４８】
ステップＳ３２４において、派生コンテンツ表示方式指定部２０３は、ステップＳ３２３で算出した類似度を基に、派生コンテンツのモデルの表示方式をモデルパラメータ決定部５３に指定して、派生コンテンツの検索および表示方式の指定の処理は終了する。
【０３４９】
このように、サムネイル画像などである派生コンテンツのモデルが、派生コンテンツの派生元コンテンツに対する類似度の順で表示されるので、使用者は、現在注目しているコンテンツと似たタイプのコンテンツを探しやすくなる。
【０３５０】
次に、いわゆる、CBF（content based filtering）である、使用者の嗜好を基にした派生コンテンツの検索について説明する。
【０３５１】
図５８は、プログラムを実行するパーソナルコンピュータの機能の構成のさらに他の例を示すブロック図である。パーソナルコンピュータがプログラムを実行することにより、入力部１６を制御する入力制御部５１、モード決定部５２、モデルパラメータ決定部５３、３次元モデル生成部５４、表示部３１を制御する表示制御部５５、ジャンル別コンテンツ選択部５６、派生コンテンツ検索部５７、履歴記憶部５８、再生部５９、通信部１９を制御する通信制御部６０、メタデータデータベース６１、お気に入りデータベース６２、コンテンツデータベース６３、類似度算出部２６１、使用者嗜好情報データベース２６２、および派生コンテンツ表示方式指示部２６３が実現される。
【０３５２】
図５８において、図２に示す場合と同様の部分には同一の符号を付してあり、その説明は省略する。
【０３５３】
類似度算出部２６１は、使用者嗜好情報データベース２６２に格納されている使用者の嗜好情報を基に、派生コンテンツ検索部５７で検索された派生コンテンツ群と使用者の嗜好情報とのマッチングを行う。ここにいうマッチングとは、ベクトルとして表現されている嗜好情報と、コンテンツのメタデータであって、ベクトルとして表現されているメタデータとの、コサイン類似度や、ユークリッド距離による類似度を求めることをいう。
【０３５４】
使用者の嗜好情報は、使用者の嗜好を示す情報であり、例えば、その使用者が好きであると評価したコンテンツのメタデータのベクトルの総和である。
【０３５５】
すなわち、類似度算出部２６１は、派生コンテンツ群と使用者の嗜好情報との類似度を算出する。使用者嗜好情報データベース２６２は、使用者の嗜好情報を格納する。
【０３５６】
例えば、類似度算出部２６１は、使用者嗜好情報データベース２６２から使用者の嗜好情報を取得し、派生コンテンツ検索部５７から供給される、派生コンテンツのメタデータを取得する。そして、類似度算出部２６１は、使用者の嗜好情報と派生コンテンツのメタデータとから、嗜好情報と派生コンテンツとの類似度を算出する。
【０３５７】
例えば、類似度算出部２６１は、式（１）により、嗜好情報と派生コンテンツとのコサイン類似度を算出する。
【０３５８】
【数１】
2008197924.tif 000003
【０３５９】
式（２）に示されるように、右向きの矢印を上に配置したｘは、使用者の嗜好情報をベクトルで表現したベクトルｘを示し、右向きの矢印を上に配置したｙは、派生コンテンツのメタデータをベクトルで表現したベクトルｙを示す。
【０３６０】
【数２】
2008197924.tif 000004
【０３６１】
なお、x1乃至xmは、使用者の嗜好情報のm個の各要素を示し、y1乃至ymは、派生コンテンツのm個のメタデータのそれぞれの値を示す。mは、コンテンツに付与されたメタデータの数を示す。
【０３６２】
図５９は、使用者の嗜好情報をベクトルで表現したベクトルｘ、すなわち嗜好ベクトルの例を示す図である。図５９に例示される嗜好ベクトルであるベクトルｘにおいて、x1に相当するメタデータ１の値は、５であり、x2に相当するメタデータ２の値は、０であり、x3に相当するメタデータ３の値は、３であり、x4に相当するメタデータ４の値は、３であり、x5に相当するメタデータ５の値は、８である。
【０３６３】
図５５に示したように、派生コンテンツであるコンテンツ２乃至コンテンツ５のそれぞれについての、メタデータ１の値が、それぞれ、５，４，６，５であり、メタデータ２の値が、それぞれ、２，４，４，０であり、メタデータ３の値が、それぞれ、４，５，７，８であり、メタデータ４の値が、それぞれ、９，２，５，６であり、メタデータ５の値が、それぞれ、７，４，３，８である場合、類似度算出部２６１は、式（１）により、図６０に示されるように、コンテンツ２について、０．８７７であるコサイン類似度を算出し、コンテンツ３について、０．８０４であるコサイン類似度を算出し、コンテンツ４について、０．７４９であるコサイン類似度を算出し、コンテンツ５について、０．９２１であるコサイン類似度を算出する。
【０３６４】
この場合、コサイン類似度の大きい順、すなわち、コンテンツ５、コンテンツ２、コンテンツ３、コンテンツ４の順に、派生コンテンツの並び順が決定される。類似度算出部２６１は、派生コンテンツの並び順を示す情報を派生コンテンツ表示方式指示部２６３に供給する。
【０３６５】
派生コンテンツ表示方式指示部２６３は、類似度算出部２６１から供給された、類似度および派生コンテンツの並び順を示す情報に従って、派生コンテンツのモデルのそれぞれの表示のさせ方を決定する。派生コンテンツ表示方式指示部２４２は、派生コンテンツのモデルのそれぞれの表示のさせ方を示す情報をモデルパラメータ決定部５３に供給する。
【０３６６】
図６１は、派生コンテンツの検索および表示方式の指定の処理のさらに他の例を説明するフローチャートである。ステップＳ３４１において、派生コンテンツ検索部５７は、メタデータデータベース６１から、派生元コンテンツのメタデータを取得する。
【０３６７】
ステップＳ３４２において、派生コンテンツ検索部５７は、ステップＳ３０２と同様に、派生元コンテンツのメタデータを基に、派生コンテンツを検索する。
【０３６８】
ステップＳ３４３において、類似度算出部２６１は、使用者の嗜好情報を使用者嗜好情報データベース２６２から取得して、使用者の嗜好情報と派生コンテンツのメタデータとから、使用者の嗜好情報と派生コンテンツとの類似度を算出する。例えば、ステップＳ３２３において、類似度算出部２４１は、コサイン類似度である、使用者の嗜好情報と派生コンテンツとの類似度を算出する。
【０３６９】
ステップＳ３４４において、派生コンテンツ表示方式指定部２６３は、ステップＳ３４３で算出した類似度を基に、派生コンテンツのモデルの表示方式をモデルパラメータ決定部５３に指定して、派生コンテンツの検索および表示方式の指定の処理は終了する。
【０３７０】
このように、使用者の嗜好情報にマッチしたコンテンツのモデルを優先的に並べることによって、特定の視点（メタデータ）に基づいたコンテンツ群を一覧できると共にその中でも特に使用者が好みそうなコンテンツを使用者が選択しやすくできる。
【０３７１】
次に、他の使用者により薦められたコンテンツである派生コンテンツのモデルを表示する場合について説明する。
【０３７２】
図６２は、プログラムを実行するパーソナルコンピュータの機能の構成のさらに他の例を示すブロック図である。パーソナルコンピュータがプログラムを実行することにより、入力部１６を制御する入力制御部５１、モード決定部５２、モデルパラメータ決定部５３、３次元モデル生成部５４、表示部３１を制御する表示制御部５５、ジャンル別コンテンツ選択部５６、派生コンテンツ検索部５７、履歴記憶部５８、再生部５９、通信部１９を制御する通信制御部６０、メタデータデータベース６１、お気に入りデータベース６２、コンテンツデータベース６３、派生元コンテンツ視聴使用者情報取得部２８１、使用者視聴情報データベース２８２、使用者視聴コンテンツ情報取得部２８３、候補コンテンツ選択基準算出部２８４、候補コンテンツ選択部２８５、候補コンテンツメタデータ取得部２８６、および候補コンテンツ表示方法指定部２８７が実現される。
【０３７３】
図６２において、図２に示す場合と同様の部分には同一の符号を付してあり、その説明は省略する。
【０３７４】
派生元コンテンツ視聴使用者情報取得部２８１は、使用者視聴情報データベース２８２から、各使用者のコンテンツの視聴履歴や各使用者のコンテンツに対する評価を示す情報を取得する。
【０３７５】
使用者視聴情報データベース２８２は、各使用者のコンテンツの視聴履歴や各使用者のコンテンツに対する評価を格納する。使用者視聴情報データベース２８２は、使用者を指定してその使用者の視聴履歴や評価が要求されると、その使用者のコンテンツの視聴履歴や各使用者のコンテンツに対する評価を読み出して、出力する。また、使用者視聴情報データベース２８２は、コンテンツを指定して視聴履歴や評価が要求されると、そのコンテンツの各使用者の視聴履歴やそのコンテンツに対する各使用者の評価を読み出して、出力する。
【０３７６】
例えば、派生元コンテンツ視聴使用者情報取得部２８１は、使用者視聴情報データベース２８２から、使用者の入力部１６への操作に応じて入力制御部５１から供給されたデータで示される派生元コンテンツについて、その派生元コンテンツを視聴した使用者のコンテンツの視聴履歴および評価を取得する。そして、派生元コンテンツ視聴使用者情報取得部２８１は、その派生元コンテンツを視聴した使用者、またはその派生元コンテンツを高く評価した使用者を選択し、その選択された使用者を特定する情報を取得する。
【０３７７】
図６３は、使用者のそれぞれにより、それぞれのコンテンツについての５段間評価の評価の例を示す図である。図６３で示される例において、５が最も高い評価を示し、１が最も低い評価を示す。
【０３７８】
図６３で示される評価の例において、使用者１が、コンテンツ１について、３と評価し、コンテンツ２について、３と評価し、コンテンツ３について、５と評価し、コンテンツ４について、４と評価し、コンテンツ５について、５と評価したことが示されている。
【０３７９】
同様に、図６３で示される評価の例において、使用者２が、コンテンツ１について、２と評価し、コンテンツ２について、３と評価し、コンテンツ３について、４と評価し、コンテンツ４について、２と評価し、コンテンツ５について、２と評価したことが示されている。
【０３８０】
また、図６３で示される評価の例において、使用者３が、コンテンツ１について、３と評価し、コンテンツ２について、５と評価し、コンテンツ３について、２と評価し、コンテンツ４について、２と評価し、コンテンツ５について、１と評価したことが示されている。図６３で示される評価の例において、使用者４が、コンテンツ１について、５と評価し、コンテンツ２について、１と評価し、コンテンツ３について、４と評価し、コンテンツ４について、５と評価し、コンテンツ５について、１と評価したことが示されている。
【０３８１】
例えば、派生元コンテンツ視聴使用者情報取得部２８１は、図６３のコンテンツ３が派生元コンテンツである場合、使用者視聴情報データベース２８２から、図６３で示される派生コンテンツのついての評価を取得して、コンテンツ３に対して４以上の良い評価をしている使用者１、使用者２、および使用者４を選択する。派生元コンテンツ視聴使用者情報取得部２８１は、使用者１、使用者２、および使用者４をそれぞれ特定する、例えば、名前またはユーザIDなどの情報を取得する。
【０３８２】
派生元コンテンツ視聴使用者情報取得部２８１は、このように選択した使用者を特定する情報を使用者視聴コンテンツ情報取得部２８３に供給する。
【０３８３】
使用者視聴コンテンツ情報取得部２８３は、派生元コンテンツ視聴使用者情報取得部２８１において選択された使用者によって視聴されたコンテンツに対する使用者の評価を使用者視聴情報データベース２８２から取得する。使用者視聴コンテンツ情報取得部２８３は、選択された使用者によって視聴されたコンテンツに対する使用者の評価を候補コンテンツ選択基準算出部２８４に供給する。
【０３８４】
候補コンテンツ選択基準算出部２８４は、コンテンツを候補コンテンツとして選択する基準を算出する。候補コンテンツ選択基準算出部２８４は、算出した基準を候補コンテンツ選択部２８５に供給する。例えば、候補コンテンツ選択基準算出部２８４は、選択された使用者によって視聴された全てのコンテンツ対する、その選択された使用者の評価の平均値を、候補コンテンツを選択するための基準とする。
【０３８５】
候補コンテンツ選択部２８５は、基準を基に、候補コンテンツを選択する。例えば、候補コンテンツ選択部２８５は、図６３で示される、コンテンツに対する使用者の評価が使用者視聴コンテンツ情報取得部２８３から供給された場合、選択された使用者である使用者１、使用者２、使用者４が高い評価をしている、コンテンツ３以外のコンテンツ、すなわち、コンテンツ１、コンテンツ４、コンテンツ５を候補コンテンツとする。
【０３８６】
この場合、使用者により視聴されていないコンテンツが候補コンテンツとして選択されるようにしてもよい。
【０３８７】
また、選択された候補コンテンツの平均評価値によって、候補コンテンツの並び順を決めるようにしてもよい。例えば、コンテンツに対する使用者の評価が図６３で示される場合、コンテンツ１の平均評価値が、(3+2+5)/3=3.33であり、コンテンツ４の平均評価値が、(4+2+5)/3=3.67であり、コンテンツ５の平均評価値が、(5+2+1)3=2.67であるので、平均評価値の高い順である、コンテンツ４、コンテンツ１、コンテンツ５の順にモデルが配置される。
【０３８８】
また、このような候補コンテンツの選択や平均評価値の計算は、使用者からの要求がなくても実行することができる。
【０３８９】
候補コンテンツ選択部２８５は、候補コンテンツの順番を示す情報と共に、選択した候補コンテンツを特定する情報を候補コンテンツメタデータ取得部２８６に供給する。
【０３９０】
候補コンテンツメタデータ取得部２８６は、候補コンテンツ選択部２８５から供給された候補コンテンツを特定する情報を基に、メタデータデータベース６１から、候補コンテンツのメタデータを取得する。候補コンテンツメタデータ取得部２８６は、候補コンテンツの順番を示す情報と共に、取得した候補コンテンツのメタデータを候補コンテンツ表示方式指示部２８７に供給する。
【０３９１】
候補コンテンツ表示方式指示部２８７は、候補コンテンツの順番を示す情報および候補コンテンツのメタデータに従って、候補コンテンツのモデルのそれぞれの表示のさせ方を決定する。候補コンテンツ表示方式指示部２８７は、候補コンテンツのモデルのそれぞれの表示のさせ方を示す情報をモデルパラメータ決定部５３に供給する。
【０３９２】
例えば、図６４で示されるように、派生コンテンツのサムネイル画像に並べて、候補コンテンツのサムネイル画像が表示されることになる。
【０３９３】
なお、候補コンテンツ表示方式指示部２８７は、平均評価値によって、候補コンテンツのサムネイル画像の色を薄く表示させたり、候補コンテンツのサムネイル画像の色を濃く表示させたりするように、候補コンテンツのモデルの表示のさせ方を決定するようにしてもよい。
【０３９４】
例えば、候補コンテンツ表示方式指示部２８７は、平均評価値の高い候補コンテンツのサムネイル画像を、派生元コンテンツのサムネイル画像のより近くに表示させ、平均評価値の低い候補コンテンツのサムネイル画像を、派生元コンテンツのサムネイル画像から離れて表示させるように、候補コンテンツのモデルの表示のさせ方を決定する。
【０３９５】
また、例えば、図５２Ｃに示されるように、候補コンテンツ表示方式指示部２８７は、派生元コンテンツのサムネイル画像と候補コンテンツのサムネイル画像との間を、平均評価値に応じた距離とするように、候補コンテンツのモデルの表示のさせ方を決定する。
【０３９６】
図６５は、候補コンテンツの選択および表示方式の指定の処理の例を説明するフローチャートである。ステップＳ３６１において、派生元コンテンツ視聴使用者情報取得部２８１は、使用者視聴情報データベース２８２から、派生元コンテンツを視聴した使用者の情報を取得する。すなわち、ステップＳ３６１において、派生元コンテンツ視聴使用者情報取得部２８１は、使用者視聴情報データベース２８２から、使用者の入力部１６への操作に応じて入力制御部５１から供給されたデータで示される派生元コンテンツについて、その派生元コンテンツを視聴した使用者のコンテンツの視聴履歴および評価を取得し、その派生元コンテンツを視聴した使用者、またはその派生元コンテンツを高く評価した使用者を選択し、その選択された使用者を特定する情報を取得する。
【０３９７】
ステップＳ３６２において、使用者視聴コンテンツ情報取得部２８３は、情報を取得した使用者が視聴したコンテンツの情報を取得する。例えば、ステップＳ３６２において、使用者視聴コンテンツ情報取得部２８３は、ステップＳ３６１において選択された使用者によって視聴されたコンテンツに対するその選択された使用者の評価を使用者視聴情報データベース２８２から取得する。
【０３９８】
ステップＳ３６３において、候補コンテンツ選択基準算出部２８４は、候補コンテンツの選択の基準を算出する。
【０３９９】
ステップＳ３６４において、候補コンテンツ選択部２８５は、基準を基に、候補コンテンツを選択する。そして、候補コンテンツメタデータ取得部２８６は、メタデータデータベース６１から候補コンテンツのメタデータを取得する。
【０４００】
ステップＳ３６５において、候補コンテンツ表示方式指定部２８７は、候補コンテンツに対する評価または候補コンテンツのメタデータを基に、候補コンテンツのモデルの表示方式をモデルパラメータ決定部５３に指定して、候補コンテンツの選択および表示方式の指定の処理は終了する。
【０４０１】
このように、派生元コンテンツに注目している他の使用者の視聴経験に基づいた候補コンテンツのモデルを配置することにより、使用者が好みそうなコンテンツを使用者により効率的に提示できる。
【０４０２】
次に、クロスドメイン、すなわち、異なるドメインのコンテンツを派生コンテンツとして検索し、推薦する場合について説明する。ドメインとは、コンテンツの方式をいい、異なるドメインとは、例えば、音楽に対する映画、本に対するテレビジョン放送の番組などの異なる方式のドメインをいう。
【０４０３】
異なるドメインのコンテンツについては、付与されるメタデータが異なる場合もあるが、例えば、発表年代や製作などにかかわりのある人物、またはキーワードなどのメタデータは共通することも多い。
【０４０４】
図６６は、プログラムを実行するパーソナルコンピュータの機能の構成のさらに他の例を示すブロック図である。パーソナルコンピュータがプログラムを実行することにより、入力部１６を制御する入力制御部５１、モード決定部５２、モデルパラメータ決定部５３、３次元モデル生成部５４、表示部３１を制御する表示制御部５５、ジャンル別コンテンツ選択部５６、派生コンテンツ検索部５７、履歴記憶部５８、再生部５９、通信部１９を制御する通信制御部６０、メタデータデータベース６１、お気に入りデータベース６２、コンテンツデータベース６３、派生元コンテンツメタデータ取得部３０１、他ドメイン派生コンテンツ選択部３０２、他ドメインコンテンツメタデータデータベース３０３、派生コンテンツ表示方式指定部３０４、および他ドメインコンテンツデータベース３０５が実現される。
【０４０５】
図６６において、図２に示す場合と同様の部分には同一の符号を付してあり、その説明は省略する。
【０４０６】
派生元コンテンツメタデータ取得部３０１は、派生コンテンツ検索部５７から供給された派生元コンテンツを特定する情報を基に、メタデータデータベース６１から、その派生元コンテンツのメタデータを取得する。派生元コンテンツメタデータ取得部３０１は、メタデータデータベース６１から、使用者の入力部１６への操作に応じて入力制御部５１から供給されたデータで示される派生元コンテンツについて、その派生元コンテンツのメタデータを取得する。
【０４０７】
例えば、派生元コンテンツが１つのコンパクトディスクに記録されている音楽である場合、派生コンテンツ検索部５７からそのコンパクトディスクを特定するIDが、派生元コンテンツを特定する情報として派生元コンテンツメタデータ取得部３０１に供給されるので、派生元コンテンツメタデータ取得部３０１は、図６７に示されるように、アルバム１であるIDで特定される１つのコンパクトディスクに記録されている音楽である派生元コンテンツについての、1980年代を示す値の年代のメタデータと、哀愁である値のキーワードのメタデータをメタデータデータベース６１から取得する。ここで、年代とキーワードは、それぞれ、メタデータのカテゴリであり、派生元コンテンツの年代のメタデータの値は、1980年代を示し、派生元コンテンツのキーワードのメタデータの値は、哀愁を示す。
【０４０８】
派生元コンテンツメタデータ取得部３０１は、取得した派生元コンテンツのメタデータを他ドメイン派生コンテンツ選択部３０２に供給する。
【０４０９】
他ドメイン派生コンテンツ選択部３０２は、派生元コンテンツメタデータ取得部３０１から供給された派生元コンテンツのメタデータを基に、派生元コンテンツのメタデータのカテゴリと同じカテゴリのメタデータであって、派生元コンテンツのドメインと異なるドメインのコンテンツである他のコンテンツのメタデータを、他ドメインコンテンツメタデータデータベース３０３から取得する。
【０４１０】
他ドメインコンテンツメタデータデータベース３０３は、他のドメインのコンテンツのメタデータを格納する。
【０４１１】
例えば、他ドメインコンテンツメタデータデータベース３０３は、映画のコンテンツである他のドメインのコンテンツのメタデータを格納する。より具体的には、図６８に示されるように、他ドメインコンテンツメタデータデータベース３０３は、映画１であるIDで特定されるコンテンツに対する、1980年代を示す値の年代のメタデータと、コミカルである値のキーワードのメタデータとを格納し、映画２であるIDで特定されるコンテンツに対する、1990年代を示す値の年代のメタデータと、哀愁である値のキーワードのメタデータとを格納し、映画３であるIDで特定されるコンテンツに対する、1980年代を示す値の年代のメタデータと、哀愁である値のキーワードのメタデータとを格納する。
【０４１２】
また、例えば、他ドメインコンテンツメタデータデータベース３０３は、本のコンテンツである他のドメインのコンテンツのメタデータを格納する。より具体的には、図６９に示されるように、他ドメインコンテンツメタデータデータベース３０３は、本１であるIDで特定されるコンテンツに対する、1990年代を示す値の年代のメタデータと、ビジネスである値のキーワードのメタデータとを格納し、本２であるIDで特定されるコンテンツに対する、2000年代を示す値の年代のメタデータと、哀愁である値のキーワードのメタデータとを格納し、本３であるIDで特定されるコンテンツに対する、1980年代を示す値の年代のメタデータと、環境問題である値のキーワードのメタデータとを格納する。
【０４１３】
アルバム１であるIDで特定される１つのコンパクトディスクに記録されている音楽である派生元コンテンツについての、年代のメタデータの値は1980年代を示す。映画１であるIDで特定されるコンテンツ、映画３であるIDで特定されるコンテンツ、および本３であるIDで特定されるコンテンツには、1980年代を示す値の年代のメタデータが付与されている。すなわち、アルバム１であるIDで特定される派生元コンテンツに付与されている、カテゴリが年代であるメタデータの値は、映画１であるIDで特定されるコンテンツ、映画３であるIDで特定されるコンテンツ、および本３であるIDで特定されるコンテンツに付与されている、カテゴリが年代であるメタデータの値と同じである。
【０４１４】
アルバム１であるIDで特定される１つのコンパクトディスクに記録されている音楽である派生元コンテンツについての、キーワードのメタデータの値は哀愁を示す。映画２であるIDで特定されるコンテンツ、映画３であるIDで特定されるコンテンツ、および本２であるIDで特定されるコンテンツには、哀愁を示す値のキーワードのメタデータが付与されている。すなわち、アルバム１であるIDで特定される派生元コンテンツに付与されている、カテゴリがキーワードであるメタデータの値は、映画２であるIDで特定されるコンテンツ、映画３であるIDで特定されるコンテンツ、および本２であるIDで特定されるコンテンツに付与されている、カテゴリがキーワードであるメタデータの値と同じである。
【０４１５】
他ドメイン派生コンテンツ選択部３０２は、カテゴリ選択部３２１を含む。カテゴリ選択部３２１は、異なるドメインの検索する派生コンテンツのカテゴリを選択する。
【０４１６】
他ドメイン派生コンテンツ選択部３０２は、カテゴリ選択部３２１より選択されたカテゴリのメタデータの値が、派生元コンテンツのそのカテゴリのメタデータの値と同じである、派生元コンテンツのドメインと異なるドメインのコンテンツを検索する。例えば、他ドメイン派生コンテンツ選択部３０２は、派生元コンテンツのドメインと異なるドメインのコンテンツのメタデータを他ドメインメタデータデータベース３０３から読み出して、派生元コンテンツのカテゴリとして選択されたメタデータの属性の属性値と同じ属性値のその属性のメタデータが付与されている、異なるドメインのコンテンツを検索する。
【０４１７】
他ドメイン派生コンテンツ選択部３０２は、検索した異なるドメインの派生コンテンツを特定する情報を派生コンテンツ表示方式指示部３０４に供給する。
【０４１８】
派生コンテンツ表示方式指示部３０４は、派生コンテンツ群に属する異なるドメインの派生コンテンツのモデルのそれぞれの表示のさせ方を決定する。派生コンテンツ表示方式指示部３０４は、異なるドメインの派生コンテンツのモデルのそれぞれの表示のさせ方を示す情報をモデルパラメータ決定部５３に供給する。
【０４１９】
例えば、派生コンテンツ表示方式指示部３０４は、図７０で示されるように、カテゴリ毎およびドメイン毎に、異なるドメインの派生コンテンツのモデルのそれぞれの表示のさせ方を決定する。
【０４２０】
アルバム１であるIDで特定される１つのコンパクトディスクに記録されている音楽である派生元コンテンツに、1980年代を示す値の年代のメタデータと、哀愁である値のキーワードのメタデータとが付与されている場合、派生コンテンツ表示方式指示部２０３は、1980年代を示す値の年代のメタデータが付与されている、映画であるドメインの派生コンテンツであって、映画１であるIDで特定される派生コンテンツのサムネイル画像と、1980年代を示す値の年代のメタデータが付与されている、映画であるドメインの派生コンテンツであって、映画２であるIDで特定される派生コンテンツのサムネイル画像とを１列に並べるように、派生コンテンツのモデルの表示のさせ方を決定する。
【０４２１】
アルバム１であるIDで特定される１つのコンパクトディスクに記録されている音楽である派生元コンテンツに、1980年代を示す値の年代のメタデータと、哀愁である値のキーワードのメタデータとが付与されている場合、派生コンテンツ表示方式指示部２０３は、1980年代を示す値の年代のメタデータが付与されている、本３であるIDで特定される、本であるドメインの派生コンテンツのサムネイル画像を、１列に並べるように、派生コンテンツのモデルの表示のさせ方を決定する。
【０４２２】
アルバム１であるIDで特定される１つのコンパクトディスクに記録されている音楽である派生元コンテンツに、1980年代を示す値の年代のメタデータと、哀愁である値のキーワードのメタデータとが付与されている場合、派生コンテンツ表示方式指示部２０３は、哀愁を示す値のキーワードのメタデータが付与されている、映画であるドメインの派生コンテンツであって、映画２であるIDで特定される派生コンテンツのサムネイル画像と、哀愁を示す値のキーワードのメタデータが付与されている、映画であるドメインの派生コンテンツであって、映画３であるIDで特定される派生コンテンツのサムネイル画像とを１列に並べるように、派生コンテンツのモデルの表示のさせ方を決定する。
【０４２３】
アルバム１であるIDで特定される１つのコンパクトディスクに記録されている音楽である派生元コンテンツに、1980年代を示す値の年代のメタデータと、哀愁である値のキーワードのメタデータとが付与されている場合、派生コンテンツ表示方式指示部２０３は、哀愁を示す値のキーワードのメタデータが付与されている、本２であるIDで特定される、本であるドメインの派生コンテンツのサムネイル画像を、１列に並べるように、派生コンテンツのモデルの表示のさせ方を決定する。
【０４２４】
映画であるドメインの派生コンテンツであって、年代であるカテゴリのメタデータの値が派生元コンテンツと共通する派生コンテンツのサムネイル画像と、本であるドメインの派生コンテンツであって、年代であるカテゴリのメタデータの値が派生元コンテンツと共通する派生コンテンツのサムネイル画像と、映画であるドメインの派生コンテンツであって、キーワードであるカテゴリのメタデータの値が派生元コンテンツと共通する派生コンテンツのサムネイル画像と、本であるドメインの派生コンテンツであって、キーワードであるカテゴリのメタデータの値が派生元コンテンツと共通する派生コンテンツのサムネイル画像とは、それぞれ平行な列に配置される。
【０４２５】
また、例えば、派生コンテンツ表示方式指示部３０４は、図７１で示されるように、ドメイン毎には分けないで、カテゴリ毎に、異なるドメインの派生コンテンツのモデルのそれぞれの表示のさせ方を決定するようにしてもよい。
【０４２６】
アルバム１であるIDで特定される１つのコンパクトディスクに記録されている音楽である派生元コンテンツに、1980年代を示す値の年代のメタデータと、哀愁である値のキーワードのメタデータとが付与されている場合、派生コンテンツ表示方式指示部２０３は、1980年代を示す値の年代のメタデータが付与されている、映画であるドメインの派生コンテンツであって、映画１であるIDで特定される派生コンテンツのサムネイル画像と、1980年代を示す値の年代のメタデータが付与されている、映画であるドメインの派生コンテンツであって、映画３であるIDで特定される派生コンテンツのサムネイル画像と、1980年代を示す値の年代のメタデータが付与されている、本３であるIDで特定される、本であるドメインの派生コンテンツのサムネイル画像とを１列に並べるように、派生コンテンツのモデルの表示のさせ方を決定する。
【０４２７】
アルバム１であるIDで特定される１つのコンパクトディスクに記録されている音楽である派生元コンテンツに、1980年代を示す値の年代のメタデータと、哀愁である値のキーワードのメタデータとが付与されている場合、派生コンテンツ表示方式指示部２０３は、哀愁を示す値のキーワードのメタデータが付与されている、映画であるドメインの派生コンテンツであって、映画２であるIDで特定される派生コンテンツのサムネイル画像と、哀愁を示す値のキーワードのメタデータが付与されている、映画であるドメインの派生コンテンツであって、映画３であるIDで特定される派生コンテンツのサムネイル画像と、哀愁を示す値のキーワードのメタデータが付与されている、本２であるIDで特定される、本であるドメインの派生コンテンツのサムネイル画像とを１列に並べるように、派生コンテンツのモデルの表示のさせ方を決定する。
【０４２８】
映画または本であるドメインの派生コンテンツであって、年代であるカテゴリのメタデータの値が派生元コンテンツと共通する派生コンテンツのサムネイル画像と、映画または本であるドメインの派生コンテンツであって、キーワードであるカテゴリのメタデータの値が派生元コンテンツと共通する派生コンテンツのサムネイル画像とは、それぞれ平行な列に配置される。
【０４２９】
他ドメインコンテンツデータベース３０５は、他のドメインのコンテンツを格納する。
【０４３０】
図７２は、派生コンテンツの選択および表示方式の指定の処理を説明するフローチャートである。ステップＳ３８１において、派生元コンテンツメタデータ取得部３０１は、メタデータデータベース６１から、派生元コンテンツのメタデータを取得する。
【０４３１】
ステップＳ３８２において、他ドメイン派生コンテンツ選択部３０２は、派生元コンテンツのメタデータを基に、他のドメインの派生コンテンツを選択する。例えば、他ドメイン派生コンテンツ選択部３０２は、ステップＳ３８１で取得された派生元コンテンツのメタデータを基に、派生元コンテンツのメタデータのカテゴリと同じカテゴリのメタデータであって、派生元コンテンツのドメインと異なるドメインのコンテンツである他のコンテンツのメタデータを、他ドメインコンテンツメタデータデータベース３０３から取得する。そして、他ドメイン派生コンテンツ選択部３０２は、選択されたカテゴリのメタデータの値が、派生元コンテンツのそのカテゴリのメタデータの値と同じである、派生元コンテンツのドメインと異なるドメインのコンテンツを選択する。
【０４３２】
ステップＳ３８３において、派生コンテンツ表示方式指示部３０４は、派生コンテンツ群に属する異なるドメインの派生コンテンツのモデルの表示方式を決定し、派生コンテンツのモデルの表示方式をモデルパラメータ決定部５３に指定して、派生コンテンツの選択および表示方式の指定の処理は終了する。
【０４３３】
このように、異なるドメインのコンテンツをメタデータで結びつけて一覧させることにより、使用者が、今まで気づかなかった関連性を発見する可能性が高まる。
【０４３４】
次に、ラインを並び替えて表示する場合について説明する。
【０４３５】
図７３は、プログラムを実行するパーソナルコンピュータの機能の構成のさらに他の例を示すブロック図である。パーソナルコンピュータがプログラムを実行することにより、入力部１６を制御する入力制御部５１、モード決定部５２、モデルパラメータ決定部５３、３次元モデル生成部５４、表示部３１を制御する表示制御部５５、ジャンル別コンテンツ選択部５６、派生コンテンツ検索部５７、履歴記憶部５８、再生部５９、通信部１９を制御する通信制御部６０、メタデータデータベース６１、お気に入りデータベース６２、コンテンツデータベース６３、ライン並び順算出部３４１、および派生コンテンツ表示方式指示部３４２が実現される。
【０４３６】
図７３において、図２に示す場合と同様の部分には同一の符号を付してあり、その説明は省略する。
【０４３７】
派生コンテンツ検索部５７は、入力制御部５１からの、入力部１６への使用者の操作を示すデータに応じて、選択された派生元コンテンツに付与されているメタデータをメタデータデータベース６１から取得する。さらに、派生コンテンツ検索部５７は、メタデータデータベース６１から、派生元コンテンツに付与されているメタデータと同じカテゴリで同じ値のメタデータであって、派生元コンテンツと異なるコンテンツに付与されているメタデータを取得することにより、派生コンテンツを検索する。その結果、派生コンテンツ検索部５７は、派生コンテンツを特定する特定情報を取得する。派生コンテンツを特定する特定情報は、コンテンツ名またはID番号などである。
【０４３８】
ここで、カテゴリ毎にまとめられたコンテンツ群をコンテンツグループと称する。
【０４３９】
図７４に、派生元コンテンツと派生コンテンツとのメタデータの例を示す。図７４において、コンテンツ１であるIDで特定されるコンテンツが派生元コンテンツであり、コンテンツ２乃至コンテンツ５であるIDで特定されるコンテンツが派生コンテンツである。
【０４４０】
コンテンツ１であるIDで特定される派生元コンテンツには、年代のカテゴリの、その値が1980年代であるメタデータと、キーワードのカテゴリの、その値が哀愁であるメタデータとが付与されている。
【０４４１】
コンテンツ２であるIDで特定される派生コンテンツには、年代のカテゴリの、その値が1980年代であるメタデータと、キーワードのカテゴリの、その値がコミカルであるメタデータとが付与されている。コンテンツ３であるIDで特定される派生コンテンツには、年代のカテゴリの、その値が1990年代であるメタデータと、キーワードのカテゴリの、その値が哀愁であるメタデータとが付与されている。コンテンツ４であるIDで特定される派生コンテンツには、年代のカテゴリの、その値が1980年代であるメタデータと、キーワードのカテゴリの、その値が情熱的であるメタデータとが付与されている。コンテンツ５であるIDで特定される派生コンテンツには、年代のカテゴリの、その値が2000年代であるメタデータと、キーワードのカテゴリの、その値が哀愁であるメタデータとが付与されている。
【０４４２】
年代のカテゴリのメタデータの値が、同じ1980年代なので、コンテンツ２であるIDで特定される派生コンテンツと、コンテンツ４であるIDで特定される派生コンテンツとが、１つのコンテンツグループであるコンテンツグループ１に分類される。
【０４４３】
キーワードのカテゴリのメタデータの値が、同じ哀愁なので、コンテンツ３であるIDで特定される派生コンテンツと、コンテンツ５であるIDで特定される派生コンテンツとが、コンテンツグループ１とは別の１つのコンテンツグループであるコンテンツグループ２に分類される。
【０４４４】
このように、派生コンテンツ検索部５７は、派生コンテンツをコンテンツグループに分類する。
【０４４５】
派生コンテンツ検索部５７は、派生元コンテンツおよび派生コンテンツのメタデータ、派生元コンテンツおよび派生コンテンツのそれぞれを特定する情報、並びに派生コンテンツのコンテンツグループへの分類を示す情報を、ライン並び順算出部３４１に供給する。
【０４４６】
ライン並び順算出部３４１は、コンテンツグループに属する派生コンテンツのモデルを、コンテンツグループ毎に、派生元コンテンツのモデルを基準として、どのように並べるかの順序を決める値を算出する。
【０４４７】
例えば、派生元コンテンツに付与されているメタデータのカテゴリの重要性を基に、重要なカテゴリの順に、コンテンツグループ毎に、派生コンテンツのモデルが配置される。すなわち、コンテンツが全部で100個あったとすると、年代のカテゴリの、その値が1980年代であるメタデータが付与されたコンテンツの数が20個であり、キーワードのカテゴリの、その値が哀愁であるメタデータが付与されたコンテンツの数が10個である場合、哀愁であるキーワードのメタデータが付与されたコンテンツの数が、1980年代である年代のメタデータが付与されたコンテンツの数より少ないので、哀愁であるキーワードのメタデータが、コンテンツ１である派生元コンテンツをより特徴付けていると考えられる。
【０４４８】
そこで、同じ哀愁であるキーワードのメタデータが付与されている、キーワードのカテゴリのコンテンツグループ２に属する派生コンテンツのモデルが、年代のカテゴリのコンテンツグループ１に属する派生コンテンツのモデルに比較して、派生元コンテンツのモデルのより近くに表示されるように、ライン並び順算出部３４１は、コンテンツグループ１に属する派生コンテンツのモデルが配置されるラインと、コンテンツグループ２に属する派生コンテンツのモデルが配置されるラインとの並ぶ順序を決める値を算出する。
【０４４９】
また、ライン並び順算出部３４１は、コンテンツに付与されたメタデータをベクトルとして扱い、メタデータのベクトルから派生元コンテンツと派生コンテンツとの類似度を求めて、コンテンツグループ毎に類似度の総和または平均値を算出して、類似度の総和または平均値の大きい順に、コンテンツグループ毎に、コンテンツグループに属する派生コンテンツのモデルを並べるように、その順序を決める値を算出するようにしてもよい。
【０４５０】
例えば、図５５に示されるメタデータから、コンテンツ１である派生元コンテンツからコンテンツ２乃至コンテンツ５である派生コンテンツまでのコサイン距離である類似度を算出することができる。
【０４５１】
この場合、ライン並び順算出部３４１は、図５５に示されるメタデータを基に、図７５に示されるように、コンテンツ２について、0.927であるコサイン距離を算出し、コンテンツ３について、0.694であるコサイン距離を算出し、コンテンツ４について、0.766であるコサイン距離を算出し、コンテンツ５について、0.733であるコサイン距離を算出する。
【０４５２】
コンテンツ２であるIDで特定される派生コンテンツと、コンテンツ４であるIDで特定される派生コンテンツとが、コンテンツグループ１に分類され、コンテンツ３であるIDで特定される派生コンテンツと、コンテンツ５であるIDで特定される派生コンテンツとが、コンテンツグループ２に分類される場合、コンテンツグループ１に属する、コンテンツ２であるIDで特定される派生コンテンツと、コンテンツ４であるIDで特定される派生コンテンツとのコサイン距離である類似度の総和は、0.927+0.766=1.693であり、コンテンツグループ２に属する、コンテンツ３であるIDで特定される派生コンテンツと、コンテンツ５であるIDで特定される派生コンテンツとのコサイン距離である類似度の総和は、0.694+0.733=1.427である。
【０４５３】
コンテンツグループ１についての類似度の総和1.693が、コンテンツグループ２についての類似度の総和1.427より大きいので、コンテンツグループ１に属する派生コンテンツのモデルが、コンテンツグループ２に属する派生コンテンツのモデルに比較して、派生元コンテンツのモデルの近くに並べられる。
【０４５４】
派生コンテンツ表示方式指定部３４２は、ライン並び順算出部３４１で算出された、ラインの並びの順を示す値を基に、コンテンツグループ毎に並び替えて派生コンテンツのモデルを表示させるように、派生コンテンツ群に属する派生コンテンツのモデルのそれぞれの表示のさせ方を決定する。派生コンテンツ表示方式指示部２０３は、派生コンテンツのモデルのそれぞれの表示のさせ方を示す情報をモデルパラメータ決定部５３に供給する。
【０４５５】
図７６で示されるように、キーワードのカテゴリのコンテンツグループ２に属する派生コンテンツのモデルのラインが、年代のカテゴリのコンテンツグループ１に属する派生コンテンツのモデルのラインに比較して、派生元コンテンツのモデルの近くに配置されて表示されると、ラインが並び替えられて、図７７で示されるように、年代のカテゴリのコンテンツグループ１に属する派生コンテンツのモデルのラインが、キーワードのカテゴリのコンテンツグループ２に属する派生コンテンツのモデルのラインに比較して、派生元コンテンツのモデルの近くに配置されて表示されることになる。
【０４５６】
なお、コンテンツグループ毎のラインが、派生元コンテンツのモデルから、重要度または類似度に応じた距離だけ離れた位置に配置されるようにしてもよい。
【０４５７】
図７８は、派生コンテンツの検索および表示方式の指定の処理のさらに他の例を説明するフローチャートである。ステップＳ４０１において、派生コンテンツ検索部５７は、メタデータデータベース６１から、派生元コンテンツのメタデータを取得する。ステップＳ４０２において、派生コンテンツ検索部５７は、ステップＳ３０２と同様に、派生元コンテンツのメタデータを基に、派生元コンテンツを検索する。
【０４５８】
ステップＳ４０３において、ライン並び順算出部３４１は、コンテンツグループ毎に、ラインの並び順を算出する。例えば、ライン並び順算出部３４１は、カテゴリのメタデータの重要度を基に、コンテンツグループ毎に、ラインの並び順を算出する。また、例えば、ライン並び順算出部３４１は、コンテンツグループ毎の類似度の総和または平均値を基に、コンテンツグループ毎に、ラインの並び順を算出する。
【０４５９】
ステップＳ４０４において、派生コンテンツ表示方式指定部３４２は、ステップＳ４０３で算出された並び順を基に、派生コンテンツのモデルの表示方式をモデルパラメータ決定部５３に指定して、派生コンテンツの検索および表示方式の指定の処理は終了する。
【０４６０】
このように、派生元コンテンツに関連の深い派生コンテンツのモデルほど派生元コンテンツのモデルの近くに表示されることになり、使用者が、派生元コンテンツと派生コンテンツとの関連性を視覚的に理解することがより容易になり、コンテンツの選択がさらに容易になる。
【０４６１】
次に、派生コンテンツの選択の履歴を保存し、その履歴から、コンテンツの再生を指示するプレイリストを作成する場合について説明する。
【０４６２】
図７９は、プログラムを実行するパーソナルコンピュータの機能の構成のさらに他の例を示すブロック図である。パーソナルコンピュータがプログラムを実行することにより、入力部１６を制御する入力制御部５１、モード決定部５２、モデルパラメータ決定部５３、３次元モデル生成部５４、表示部３１を制御する表示制御部５５、ジャンル別コンテンツ選択部５６、派生コンテンツ検索部５７、履歴記憶部５８、再生部５９、通信部１９を制御する通信制御部６０、メタデータデータベース６１、お気に入りデータベース６２、コンテンツデータベース６３、メタデータリスト取得部３６１、検索履歴データベース３６２、およびコンテンツ群選択部３６３が実現される。
【０４６３】
図７９において、図２に示す場合と同様の部分には同一の符号を付してあり、その説明は省略する。
【０４６４】
派生コンテンツ検索部５７は、入力制御部５１からの、入力部１６への使用者の操作を示すデータに応じて、選択された派生元コンテンツに付与されているメタデータをメタデータデータベース６１から取得する。さらに、派生コンテンツ検索部５７は、メタデータデータベース６１から、派生元コンテンツに付与されているメタデータと同じカテゴリの同じ値のメタデータであって、派生元コンテンツと異なるコンテンツに付与されているメタデータを取得することにより、派生コンテンツを検索する。その結果、派生コンテンツ検索部５７は、派生コンテンツを特定する特定情報を取得する。派生コンテンツを特定する特定情報は、コンテンツ名またはID番号などである。
【０４６５】
派生コンテンツ検索部５７は、派生コンテンツの中から次の派生元コンテンツが選択されると、検索履歴データベース３６２に、検索履歴として、選択された次の派生元コンテンツと１つ前の派生元コンテンツとを結ぶメタデータを格納させる。
【０４６６】
例えば、派生コンテンツ検索部５７は、派生コンテンツの中から次の派生元コンテンツが選択された場合、選択された次の派生元コンテンツと１つ前の派生元コンテンツとに共通するメタデータ、すなわち、選択された次の派生元コンテンツに付与されているメタデータと１つ前の派生元コンテンツに付与されているメタデータとの中で、カテゴリとその値とが同じメタデータを、検索履歴データベース３６２に記録させる。
【０４６７】
検索履歴データベース３６２は、派生元コンテンツと、その派生元コンテンツに関連する派生コンテンツの中から新たに選択された派生元コンテンツとを結ぶメタデータを格納する。すなわち、検索履歴データベース３６２は、派生元コンテンツと、その派生元コンテンツに関連する派生コンテンツの中から新たに選択された派生元コンテンツとに共通するメタデータを、派生元コンテンツと新たに選択された派生元コンテンツとに対応付けて格納する。言い換えれば、検索履歴データベース３６２は、派生元コンテンツに付与されているメタデータと、その派生元コンテンツに関連する派生コンテンツの中から新たに選択された派生元コンテンツに付与されているメタデータとの中で、カテゴリとその値とが同じメタデータを、派生元コンテンツと新たに選択された派生元コンテンツとに対応付けて格納する。
【０４６８】
また、検索履歴データベース３６２は、一連の派生コンテンツの検索で使用されたメタデータ群をまとめてセッションとして保存する。セッションの定義は任意であるが、例えば、セッションは、使用者の検索を指示する行為を基準とした一定の時間や、一定のコンテンツ数などとすることができる。また、検索履歴データベース３６２は、セッション毎に、そのセッション内での、派生元コンテンツの順序または派生コンテンツの順序と、派生元コンテンツまたは派生コンテンツのメタデータを格納する。
【０４６９】
図８０は、検索履歴データベース３６２に格納される、順に選択された派生元コンテンツと、派生元コンテンツを結ぶメタデータとの例を示す図である。
【０４７０】
図８０には、１で示される派生元コンテンツから、１で示される派生元コンテンツに関連する派生コンテンツが検索され、その派生コンテンツの中から２で示される派生元コンテンツが選択され、また、２で示される派生元コンテンツから、２で示される派生元コンテンツに関連する派生コンテンツが検索され、その派生コンテンツの中から３で示される派生元コンテンツが選択され、さらに、３で示される派生元コンテンツから、３で示される派生元コンテンツに関連する派生コンテンツが検索され、その派生コンテンツの中から４で示される派生元コンテンツが選択された場合における、１で示される派生元コンテンツ、２で示される派生元コンテンツ、３で示される派生元コンテンツ、４で示される派生元コンテンツが左から順に示されている。
【０４７１】
図８０に示される例において、１で示される派生元コンテンツと２で示される派生元コンテンツとを結ぶ、年代であるカテゴリのメタデータの値は、1980年代であり、２で示される派生元コンテンツと３で示される派生元コンテンツとを結ぶ、ジャンルであるカテゴリのメタデータの値は、ロックであり、３で示される派生元コンテンツと４で示される派生元コンテンツとを結ぶ、ムードであるカテゴリのメタデータの値は、ノリノリである。
【０４７２】
すなわち、１で示される派生元コンテンツに付与されている、年代であるカテゴリの、その値が1980年代であるメタデータと、同じカテゴリの同じ値のメタデータが、２で示される派生元コンテンツに付与されている。また、２で示される派生元コンテンツに付与されている、ジャンルであるカテゴリの、その値がロックであるメタデータと、同じカテゴリの同じ値のメタデータが、３で示される派生元コンテンツに付与されている。さらにまた、３で示される派生元コンテンツに付与されている、ムードであるカテゴリの、その値がノリノリであるメタデータと、同じカテゴリの同じ値のメタデータが、４で示される派生元コンテンツに付与されている。
【０４７３】
このように、１で示される派生元コンテンツから、１で示される派生元コンテンツに関連する派生コンテンツが検索され、その派生コンテンツの中から２で示される派生元コンテンツが選択され、また、２で示される派生元コンテンツから、２で示される派生元コンテンツに関連する派生コンテンツが検索され、その派生コンテンツの中から３で示される派生元コンテンツが選択され、さらに、３で示される派生元コンテンツから、３で示される派生元コンテンツに関連する派生コンテンツが検索され、その派生コンテンツの中から４で示される派生元コンテンツが選択された場合、検索履歴データベース３６２は、１で示される派生元コンテンツと２で示される派生元コンテンツとを結ぶ、年代であるカテゴリの、その値が1980年代であるメタデータと、２で示される派生元コンテンツと３で示される派生元コンテンツとを結ぶ、ジャンルであるカテゴリの、その値がロックであるメタデータと、３で示される派生元コンテンツと４で示される派生元コンテンツとを結ぶ、ムードであるカテゴリの、その値がノリノリであるメタデータとを、それぞれの派生元コンテンツに対応付けて格納する。
【０４７４】
より具体的には、検索履歴データベース３６２は、セッションを特定するセッションIDと、セッション内の順序と、カテゴリと、メタデータの値とを対応付けて格納する。例えば、図８１で示されるように、検索履歴データベース３６２は、１であるセッションIDと、１であるセッション内の順序と、年代であるカテゴリと、1980年代であるメタデータの値とを対応付け、１であるセッションIDと、２であるセッション内の順序と、ジャンルであるカテゴリと、ロックであるメタデータの値とを対応付け、１であるセッションIDと、３であるセッション内の順序と、ムードであるカテゴリと、ノリノリであるメタデータの値とを対応付けて格納する。
【０４７５】
メタデータリスト取得部３６１は、検索履歴データベース３６２から、適切なセッションの検索履歴を取得する。検索履歴を取得するためのセッションは、入力制御部５１から供給される、入力部１６への使用者の操作を示すデータに応じて選択されるようにしてもよく、また、現在再生されているか若しくはモデルが表示されている、派生元コンテンツに付与されたメタデータを先頭に持つセッションなどとしてもよい。
【０４７６】
以下、メタデータリスト取得部３６１により、検索履歴データベース３６２から取得された、適切なセッションの検索履歴は、メタデータリストと称する。
【０４７７】
メタデータリスト取得部３６１は、メタデータリストをコンテンツ群選択部３６３に供給する。
【０４７８】
コンテンツ群選択部３６３は、メタデータリスト取得部３６１から供給されたメタデータリストに当てはまるメタデータをメタデータデータベースから取得して、メタデータがメタデータリストに当てはまるようにコンテンツを繋げる。通常、所定のカテゴリの所定の値のメタデータが付与されたコンテンツは、複数あるので、メタデータリストに当てはまるメタデータは一意に決めることができない。
【０４７９】
そこで、ランダムに決定されるか、メタデータリストに関係のないメタデータを共有するコンテンツ群のメタデータを選択するなどして、メタデータは、何らかの類似性に基づいて選択されるようにすることができる。
【０４８０】
例えば、図８１で示される検索履歴がメタデータリストとして取得された場合、コンテンツ群選択部３６３は、図８２に示される、メタデータをメタデータデータベース６１から取得する。すなわち、例えば、図８２に示されるように、コンテンツ群選択部３６３は、コンテンツ６であるIDで特定されるコンテンツに付与されている、年代のカテゴリの、その値が1980年代であるメタデータと、ジャンルのカテゴリの、その値がロックであるメタデータとをメタデータデータベース６１から取得し、コンテンツ９であるIDで特定されるコンテンツに付与されている、ジャンルのカテゴリの、その値がロックであるメタデータと、ムードのカテゴリの、その値がノリノリであるメタデータとをメタデータデータベース６１から取得し、コンテンツ１２であるIDで特定されるコンテンツに付与されている、キーワードのカテゴリの、その値が哀愁であるメタデータと、年代のカテゴリの、その値が1980年代であるメタデータとをメタデータデータベース６１から取得し、さらに、コンテンツ１７であるIDで特定されるコンテンツに付与されている、ムードのカテゴリの、その値がノリノリであるメタデータと、年代のカテゴリの、その値が2000年代であるメタデータとをメタデータデータベース６１から取得する。
【０４８１】
この場合、図８１で示されるように、メタデータリストにおいては、年代であるカテゴリの、その値が1980年代であるメタデータと、ジャンルであるカテゴリの、その値がロックであるメタデータと、ムードであるカテゴリの、その値がノリノリであるメタデータとで派生元コンテンツが結びつけられているので、コンテンツ群選択部３６３は、図８３で示されるように、メタデータがメタデータリストに当てはまるように、年代であるカテゴリの、その値が1980年代であるメタデータが付与されているコンテンツ、年代であるカテゴリの、その値が1980年代であるメタデータと、ジャンルであるカテゴリの、その値がロックであるメタデータとが付与されているコンテンツ、ジャンルであるカテゴリの、その値がロックであるメタデータと、ムードであるカテゴリの、その値がノリノリであるメタデータとが付与されているコンテンツ、およびムードであるカテゴリの、その値がノリノリであるメタデータが付与されているコンテンツを順に選び、すなわち、コンテンツ１２であるIDで特定されるコンテンツ、コンテンツ６であるIDで特定されるコンテンツ、コンテンツ９であるIDで特定されるコンテンツ、コンテンツ１７であるIDで特定されるコンテンツを順に繋げる。
【０４８２】
この場合、図８４で示されるように、メタデータリストに応じて順に繋げられたコンテンツのモデルの表示を、例えば、その間に矢印を表示させるなど、派生コンテンツのモデルの表示と異なる方式とするようにしても、派生コンテンツのモデルの表示と同じ方式としてもよい。
【０４８３】
図８５は、派生コンテンツの検索の処理を説明するフローチャートである。ステップＳ４２１において、派生コンテンツ検索部５７は、メタデータデータベース６１から、派生元コンテンツのメタデータを取得する。ステップＳ４２２において、派生コンテンツ検索部５７は、派生元コンテンツのメタデータを基に、派生コンテンツを検索する。すなわち、ステップＳ４２２において、派生コンテンツ検索部５７は、派生元コンテンツに付与されているメタデータと同じ値のメタデータであって、派生元コンテンツと異なるコンテンツに付与されているメタデータをメタデータデータベース６１から取得し、派生元コンテンツと同じメタデータが付与されているコンテンツである派生コンテンツを特定する特定情報を取得することにより、派生コンテンツを検索する。
【０４８４】
ステップＳ４２３において、検索履歴データベース３６２は、派生コンテンツ検索部５７から供給された検索履歴を保存して、派生コンテンツの検索の処理は終了する。
【０４８５】
例えば、ステップＳ４２３において、検索履歴データベース３６２は、セッションを特定するセッションIDと、セッション内の順序と、カテゴリと、メタデータの値とが対応付けられてなる検索履歴を保存する。
【０４８６】
図８６は、派生コンテンツの表示の処理を説明するフローチャートである。ステップＳ４４１において、メタデータリスト取得部３６１は、検索履歴データベース３６２からメタデータリストを取得する。例えば、ステップＳ４４１において、メタデータリスト取得部３６１は、検索履歴データベース３６２に格納されている、現在のセッションまたは使用者から指示されたセッションについての検索履歴を、メタデータリストとして取得する。
【０４８７】
ステップＳ４４２において、コンテンツ群選択部３６３は、ステップＳ４４１で取得したメタデータリストおよびメタデータデータベース６１から取得したメタデータを基に、コンテンツ群を選択する。例えば、ステップＳ４４２において、コンテンツ群選択部３６３は、メタデータがメタデータリストに当てはまるコンテンツを選択し、選択したコンテンツを繋げることで、コンテンツ群を選択する。
【０４８８】
ステップＳ４４３において、コンテンツ群選択部３６３は、メタデータリストおよびメタデータを基に、ステップＳ４４２で選択されたコンテンツ群のモデルの表示方式をモデルパラメータ決定部５３に指定して、派生コンテンツの表示の処理は終了する。
【０４８９】
次に、嗜好の学習について説明する。
【０４９０】
図８７は、プログラムを実行するパーソナルコンピュータの機能の構成の他の例を示すブロック図である。パーソナルコンピュータがプログラムを実行することにより、入力部１６を制御する入力制御部５１、モード決定部５２、モデルパラメータ決定部５３、３次元モデル生成部５４、表示部３１を制御する表示制御部５５、ジャンル別コンテンツ選択部５６、履歴記憶部５８、再生部５９、通信部１９を制御する通信制御部６０、メタデータデータベース６１、お気に入りデータベース６２、コンテンツデータベース６３、派生コンテンツ検索部３８１、および嗜好情報データベース３８２が実現される。
【０４９１】
図８７において、図２に示す場合と同様の部分には同一の符号を付してあり、その説明は省略する。
【０４９２】
派生コンテンツ検索部３８１は、入力制御部５１からの、入力部１６への使用者の操作を示すデータに応じて、選択された派生元コンテンツに付与されているメタデータをメタデータデータベース６１から取得する。さらに、派生コンテンツ検索部３８１は、メタデータデータベース６１から、派生元コンテンツに付与されているメタデータと同じカテゴリの同じメタデータであって、派生元コンテンツと異なるコンテンツに付与されているメタデータを取得することにより、派生コンテンツを検索する。その結果、派生コンテンツ検索部３８１は、派生コンテンツを特定する特定情報を取得する。派生コンテンツを特定する特定情報は、コンテンツ名またはID番号などである。
【０４９３】
派生コンテンツ検索部３８１は、コンテンツの中から派生元コンテンツが選択された場合、嗜好情報データベース３８２に、嗜好情報として、選択された派生元コンテンツのメタデータと派生元コンテンツを特定する情報とを格納させる。また、派生コンテンツ検索部３８１は、派生コンテンツの中から次の派生元コンテンツが選択された場合、嗜好情報データベース３８２に、使用者の嗜好を示す嗜好情報として、選択された次の派生元コンテンツと１つ前の派生元コンテンツとを結ぶメタデータ、派生元コンテンツを特定する情報、派生コンテンツのメタデータ、および派生元コンテンツのメタデータなどを格納させる。
【０４９４】
派生コンテンツ検索部３８１は、カテゴリ選択部３９１を含む。カテゴリ選択部３９１は、派生コンテンツ検索部３８１において検索される派生コンテンツのカテゴリを選択する。
【０４９５】
嗜好情報データベース３８２は、嗜好情報として、選択された次の派生元コンテンツと１つ前の派生元コンテンツとを結ぶメタデータ、派生元コンテンツを特定する情報、派生コンテンツのメタデータ、および派生元コンテンツのメタデータなどを格納する。
【０４９６】
図５５に示されるメタデータがメタデータデータベース６１に格納されている場合、コンテンツ１が最初に派生元コンテンツとして選択され、次に、コンテンツ３が派生元コンテンツとして選択されたとき、派生コンテンツ検索部３８１は、コンテンツ１に付加されているメタデータ１乃至メタデータ５をベクトルとし、コンテンツ３に付加されているメタデータ１乃至メタデータ５をベクトルとし、この２つのベクトルを加算し、加算した結果を、使用者の嗜好を示す嗜好情報とする。例えば、図８８に例示されるベクトルである嗜好情報において、メタデータ１の値は、１１であり、メタデータ２の値は、７であり、メタデータ３の値は、５であり、メタデータ４の値は、１１であり、メタデータ５の値は、９である。
【０４９７】
嗜好情報データベース３８２に格納された嗜好情報は、任意の推薦システムに利用できる。また、図５８乃至図６１を参照して説明した、使用者の嗜好を基にした派生コンテンツの検索に利用することもできる。
【０４９８】
図８９は、嗜好情報の記録の処理を説明するフローチャートである。ステップＳ４６１において、派生コンテンツ検索部３８１は、入力部１６への使用者の操作に応じた入力制御部５１からのデータを基に、派生元コンテンツが選択されたか否かを判定し、派生元コンテンツが選択されていないと判定された場合、派生元コンテンツが選択されるまで、判定の処理を繰り返す。
【０４９９】
ステップＳ４６１において、派生元コンテンツが選択されたと判定された場合、手続きは、ステップＳ４６２に進み、ステップＳ４６２において、派生コンテンツ検索部３８１は、嗜好情報データベース３８２に、嗜好情報を記録させる。ステップＳ４６２の後、手続きは、ステップＳ４６１に戻る。
【０５００】
例えば、派生コンテンツの中から次の派生元コンテンツが選択された場合、ステップＳ４６２において、派生コンテンツ検索部３８１は、嗜好情報データベース３８２に、選択された次の派生元コンテンツと１つ前の派生元コンテンツとを結ぶメタデータ、派生元コンテンツを特定する情報、派生コンテンツのメタデータ、および派生元コンテンツのメタデータからなる嗜好情報を記録させる。例えば、複数の派生元コンテンツが選択された場合、ステップＳ４６２において、派生コンテンツ検索部３８１は、それぞれの派生元コンテンツに付加されているメタデータをベクトルとして、メタデータ毎に、それぞれのメタデータの値を加算し、その結果を、使用者の嗜好を示す嗜好情報として嗜好情報データベース３８２に記録させる。
【０５０１】
このようにすることで、使用者が明示的にコンテンツに対して好きまたは嫌いなどの評価を行うことなく、使用者が意識することなく検索というコンテンツ探索において自然かつ必要な行為を実行するだけで、コンテンツの推薦に必要な情報を蓄積することができる。また、使用者に対する負担を軽減することができる。
【０５０２】
次に、派生コンテンツを絞り込んで選択する場合について説明する。
【０５０３】
図９０は、プログラムを実行するパーソナルコンピュータの機能の構成のさらに他の例を示すブロック図である。パーソナルコンピュータがプログラムを実行することにより、入力部１６を制御する入力制御部５１、モード決定部５２、モデルパラメータ決定部５３、３次元モデル生成部５４、表示部３１を制御する表示制御部５５、ジャンル別コンテンツ選択部５６、派生コンテンツ検索部５７、履歴記憶部５８、再生部５９、通信部１９を制御する通信制御部６０、メタデータデータベース６１、お気に入りデータベース６２、コンテンツデータベース６３、絞り込み条件入力部４０１、および絞り込み選択部４０２が実現される。
【０５０４】
図９０において、図２に示す場合と同様の部分には同一の符号を付してあり、その説明は省略する。
【０５０５】
派生コンテンツ検索部５７は、入力制御部５１からの、入力部１６への使用者の操作を示すデータに応じて、選択された派生元コンテンツに付与されているメタデータをメタデータデータベース６１から取得する。さらに、派生コンテンツ検索部５７は、メタデータデータベース６１から、派生元コンテンツに付与されているメタデータと同じカテゴリの同じ値のメタデータであって、派生元コンテンツと異なるコンテンツに付与されているメタデータを取得することにより、派生コンテンツを検索する。その結果、派生コンテンツ検索部５７は、派生コンテンツを特定する特定情報を取得する。派生コンテンツを特定する特定情報は、コンテンツ名またはID番号などである。
【０５０６】
派生コンテンツ検索部５７は、派生コンテンツを特定する特定情報を、派生コンテンツのリストとして、絞り込み選択部４０２に供給する。
【０５０７】
絞り込み条件入力部４０１は、派生元コンテンツの選択または派生コンテンツの検索とは別に、派生コンテンツのリストに対して、さらに派生コンテンツを絞り込んで選択するためのメタデータを取得して、取得したメタデータを絞り込み選択部４０２に供給する。例えば、絞り込み条件入力部４０１は、入力部１６を操作することにより指示されたメタデータを取得するか、または通信部１９にメタデータを受信させることにより、メタデータを取得する。また、例えば、絞り込み条件入力部４０１は、使用者によって予め指定されたメタデータを記憶し、記憶しているメタデータを読み出すことにより、メタデータを取得するようにしてもよい。
【０５０８】
なお、入力制御部５１が、使用者が入力部１６を操作することにより指示されたメタデータを、派生コンテンツを絞り込んで選択するためのメタデータとして、絞り込み選択部４０２に供給するようにしてもよい。
【０５０９】
絞り込み選択部４０２は、リストで示される派生コンテンツの中から、絞り込み条件入力部４０１から供給されたメタデータを条件として、その条件を満たすコンテンツのみを選択する。例えば、絞り込み選択部４０２は、リストで示される派生コンテンツの中から、絞り込み条件入力部４０１から供給されたメタデータと同じメタデータが付与されているコンテンツのみを選択する。
【０５１０】
図９１は、コンテンツに付与されているメタデータの例を示す図である。図９１において、コンテンツ１であるIDで特定されるコンテンツが派生元コンテンツであり、コンテンツ２乃至コンテンツ５であるIDで特定されるコンテンツが派生コンテンツである。
【０５１１】
コンテンツ１であるIDで特定される派生元コンテンツには、年代のカテゴリの、その値が1980年代であるメタデータと、キーワードのカテゴリの、その値が哀愁であるメタデータとが付与されている。
【０５１２】
コンテンツ２であるIDで特定される派生コンテンツには、年代のカテゴリの、その値が1980年代であるメタデータと、キーワードのカテゴリの、その値が哀愁であるメタデータとが付与されている。コンテンツ３であるIDで特定される派生コンテンツには、年代のカテゴリの、その値が1990年代であるメタデータと、キーワードのカテゴリの、その値がコミカルであるメタデータとが付与されている。コンテンツ４であるIDで特定される派生コンテンツには、年代のカテゴリの、その値が1980年代であるメタデータと、キーワードのカテゴリの、その値が情熱的であるメタデータとが付与されている。コンテンツ５であるIDで特定される派生コンテンツには、年代のカテゴリの、その値が1980年代であるメタデータと、キーワードのカテゴリの、その値が哀愁であるメタデータとが付与されている。
【０５１３】
この場合、派生コンテンツの検索のカテゴリとして、年代が選択されたとき、図９２に示されるように、1980年代である値の年代のメタデータが付与されている、コンテンツ２であるIDで特定される派生コンテンツのモデル、コンテンツ４であるIDで特定される派生コンテンツのモデル、およびコンテンツ５であるIDで特定される派生コンテンツのモデルが表示部３１に表示される。
【０５１４】
さらに、ここで、絞り込み条件入力部４０１から、キーワードであるカテゴリおよび哀愁であるメタデータの値が入力されると、絞り込み選択部４０２は、コンテンツ２であるIDで特定される派生コンテンツ、コンテンツ４であるIDで特定される派生コンテンツ、およびコンテンツ５であるIDで特定される派生コンテンツの中から、哀愁である値のキーワードのメタデータが付与されている、コンテンツ２であるIDで特定される派生コンテンツ、およびコンテンツ５であるIDで特定される派生コンテンツを選択する。
【０５１５】
すると、図９３に示されるように、コンテンツ２であるIDで特定される派生コンテンツのモデル、コンテンツ４であるIDで特定される派生コンテンツのモデル、およびコンテンツ５であるIDで特定される派生コンテンツのモデルのラインと平行のラインに、キーワードであるカテゴリおよび哀愁であるメタデータの値によって選択された派生コンテンツのモデル、すなわち、コンテンツ２であるIDで特定される派生コンテンツのモデルおよびコンテンツ５であるIDで特定される派生コンテンツのモデルが表示部３１に表示される。
【０５１６】
この場合、図９３で示されるように、絞り込んで選択された派生コンテンツのモデルのラインには、派生コンテンツが選択されたカテゴリとそのカテゴリのメタデータの値、および絞り込みの選択の条件である、カテゴリとそのカテゴリのメタデータの値が表示される。
【０５１７】
図９４は、派生コンテンツの絞り込みの処理を説明するフローチャートである。ステップＳ４８１において、絞り込み条件入力部４０１は、絞り込みの条件を取得する。例えば、ステップＳ４８１において、絞り込み条件入力部４０１は、使用者からの指示に応じて、メタデータのカテゴリと、そのカテゴリのメタデータの値とからなる、絞り込みの条件を取得する。
【０５１８】
ステップＳ４８２において、絞り込み選択部４０２は、絞り込み条件を満たす、派生コンテンツを絞り込んで選択して、派生コンテンツの絞り込みの処理は終了する。
【０５１９】
例えば、ステップＳ４８２において、絞り込み選択部４０２は、派生コンテンツの中から、絞り込みの条件で示されるカテゴリのメタデータであって、絞り込みの条件で示される値のメタデータが付与されている派生コンテンツを選択する。
【０５２０】
このようにすることで、例えば、絞り込み選択する前と後の派生コンテンツのモデルを並べて表示することにより、使用者は、コンテンツを検索するための適切な条件をより簡単に見つけることができる。
【０５２１】
以上のように、機能が、ウインドウやレイアウトと言った２次元的な切り分けでなく、２次元と３次元といった見せ方で切り分けされる。また、２次元と３次元とを分断せずに見せることにより、機能から機能への道筋（行き来）の理解も容易になり、使用者の理解を助ける効果も大きい。
【０５２２】
コンピュータからの一方的なレコメンデーションではなく、使用者の興味に立脚したインタラクションがなされ、使用者の興味に対して、興味のある候補または派生を柔軟性を持って導き出すことができる。
【０５２３】
任意のコンテンツに関連する複数のコンテンツの情報が表示されつつも、それぞれのコンテンツの関係性、またはまとまりが容易に認識できるように、コンテンツの情報が表示される。
【０５２４】
任意のコンテンツの情報から関連するコンテンツの情報が表示され、更にその関連するコンテンツから新たに関連するコンテンツの情報を表示させるといった、連続的な派生の検索の行為においても、基本的には、表示画面において左から右に流れる、スタート地点からの連続的な表示方法を用いることにより、現在位置の把握が容易にできる。
【０５２５】
上記したように、連続的なコンテンツの情報の表示方法を用いつつも、派生の基準となるコンテンツが新しくなる度に、３次元的な表示方法を用い、上部のレイヤへと表示を移行するため、連続しつつも、区切りのある表示方法が実現され、使用者による構造の把握を容易にしている。
【０５２６】
上記したように、３次元的な構造を用いることにより、関連するコンテンツの表示を２次元的なレイアウトなどのように、同一平面上に無理に表示せずとも、関連度の高いコンテンツの情報同士を画面において近い位置に破綻無く表示することが可能である。
【０５２７】
任意のコンテンツに関連するコンテンツの情報の表示に、コンテンツの比較検討対象として、ある程度の数の情報が同時に表示される表現を採用したことにより、カタログ的な選ぶ楽しみ、興味の移り変わり、比較検討の結果により選出した納得感等を使用者に与えることができる。
【０５２８】
関連した複数のコンテンツの情報が並べて表示されるため、視聴済みコンテンツの中にまだ視聴していないコンテンツが混在して表示される状況が起こりうるが、それによって、使用者に、ビジュアル的に全て視聴済み状態にしたいという欲求が生まれ、よりコンテンツへの興味が惹起される。
【０５２９】
コンテンツの情報の表示に３次元的な厚みを持たせることにより、単なるデジタルデータではなく、中身の入った「モノ」であるという認識を高める効果があり、使用者に対して、所有欲やコレクション欲、対価を払っても良い対象物であると言う気持ちを芽生えさせる、精神的な効果がある。
【０５３０】
派生検索を繰り返した結果を、派生対象となった元になるコンテンツ同士の関連性だけに集約して、その関連理由と共に表示することにより、使用者は、自分の興味の変遷をより簡潔に認識することが可能になる。これは使用者だけでなく、コンテンツの提供者にとっても、どのような興味によってコンテンツが導き出されたかを知ることができるため、マーケティング等のデータとしても有用である。
【０５３１】
繰り返すが、本発明においては、３次元的な表示方法を使用することにより以下の効果がある。
【０５３２】
従来に比較して、より直感的な検索が可能になる。
【０５３３】
情報の俯瞰、それぞれの関係性、まとまりの認識が容易になる。
【０５３４】
コンテンツをモノ化（厚みをつける）することによる、使用者において、コンテンツへの情報以上のモノとしての認識をあげる、精神的な効果がある。
【０５３５】
機能を２次元と３次元とで切り分けつつも、シームレスに繋いでみせることにより、使用者による、機能の遷移の理解が向上する。
【０５３６】
３次元的レイヤを用いることにより、連続しつつも区切りのある表現が実現できる。
【０５３７】
３次元的表示方法をもちいることにより、関連度の高いコンテンツ同士を表示領域上において近い位置に破綻無く表示することが可能になる。
【０５３８】
ある程度の数の情報が同時に表示される表現を用いることにより、カタログ的な選ぶ楽しみ、興味の移り変わり、比較検討の結果により選出した納得感等を使用者に与えることができる。
【０５３９】
視聴済みコンテンツの中に未視聴コンテンツが混在して表示される状況が起こりうるが、それによって、使用者には、ビジュアル的に全て視聴済み状態にしたいという欲求が生まれ、よりコンテンツに興味が惹きつけられる。
【０５４０】
興味の変遷をより簡潔に表示することにより、使用者だけでなく、マーケティング等のデータとしても有用である。
【０５４１】
左から右に流れる２次元的な軸を基準とした表示方法のため、操作上の使用者の迷いを軽減し、現在、何をしているかの確認も容易になる。
【０５４２】
なお、派生コンテンツのサムネイル画像に代えて、派生コンテンツを示す文字、例えば、派生コンテンツの名前（タイトル名）を示す文字が表示されるようにしても、派生コンテンツのサムネイル画像と共に、派生コンテンツを示す文字が表示されるようにしてもよい。
【０５４３】
このように、コンテンツのメタデータを読み出して、表示するようにした場合には、コンテンツに関する情報を表示することができる。また、第１のコンテンツに繋がりのある第２のコンテンツを検索し、第１のコンテンツを示す第１の画像または第１の文字および第２のコンテンツを示す第２の画像または第２の文字、並びに第１のコンテンツと第２のコンテンツとの繋がりの情報によりコンテンツの検索の履歴を表示するようにした場合には、コンテンツ同士の関連を辿る場合、その辿ったコンテンツ同士の関連をひと目で知ることができる。
【０５４４】
なお、パーソナルコンピュータに適用した場合の実施の形態について説明したが、本発明は、パーソナルコンピュータに限らず、携帯電話機などのいわゆるモバイル機器や、セットトップボックスやハードディスクレコーダなどの据え置き型機器など、各種のコンシューマエレクトロニクス機器などに適用することができる。
【０５４５】
また、メタデータデータベース６１、お気に入りデータベース６２、およびコンテンツデータベース６３、視聴情報データベース２０２、使用者嗜好情報データベース２６２、使用者視聴情報データベース２８２、他ドメインコンテンツメタデータデータベース３０３、他ドメインコンテンツデータベース３０５、検索履歴データベース３６２、または嗜好情報データベース３８２を、サーバなどの他の装置に設け、ネットワークおよび通信部１９を介して、これらに格納されるメタデータなどの各種のデータを読み出したり、この各種のデータをこれらに格納したりするようにしてもよい。
【０５４６】
なお、上述した一連の処理は、ハードウェアにより実行することもできるし、ソフトウエアにより実行することもできる。
【０５４７】
また、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０５４８】
なお、本発明の実施の形態は、上述した実施の形態に限定されるものではなく、本発明の要旨を逸脱しない範囲において種々の変更が可能である。
【図面の簡単な説明】
【０５４９】
【図１】本発明の一実施の形態の表示制御装置の一例であるパーソナルコンピュータのハードウェアの構成を示すブロック図である。
【図２】プログラムを実行するパーソナルコンピュータの機能の構成の一例を示すブロック図である。
【図３】モデルパラメータ決定部の構成を示す図である。
【図４】パーソナルコンピュータの表示モードを説明する図である。
【図５】出力部の表示部に表示される表示例を示す図である。
【図６】出力部の表示部に表示される表示例を示す図である。
【図７】出力部の表示部に表示される表示例を示す図である。
【図８】出力部の表示部に表示される表示例を示す図である。
【図９】出力部の表示部に表示される表示例を示す図である。
【図１０】出力部の表示部に表示される表示例を示す図である。
【図１１】出力部の表示部に表示される表示例を示す図である。
【図１２】出力部の表示部に表示される表示例を示す図である。
【図１３】出力部の表示部に表示される表示例を示す図である。
【図１４】出力部の表示部に表示される表示例を示す図である。
【図１５】出力部の表示部に表示される表示例を示す図である。
【図１６】出力部の表示部に表示される表示例を示す図である。
【図１７】出力部の表示部に表示される表示例を示す図である。
【図１８】出力部の表示部に表示される表示例を示す図である。
【図１９】出力部の表示部に表示される表示例を示す図である。
【図２０】出力部の表示部に表示される表示例を示す図である。
【図２１】出力部の表示部に表示される表示例を示す図である。
【図２２】出力部の表示部に表示される表示例を示す図である。
【図２３】出力部の表示部に表示される表示例を示す図である。
【図２４】パーソナルコンピュータの表示モードを説明する図である。
【図２５】トップページモードの表示の処理を説明するフローチャートである。
【図２６】派生検索モードの表示の処理を説明するフローチャートである。
【図２７】モデルのパラメータの決定の処理を説明するフローチャートである。
【図２８】派生コンテンツのモデルのフォーカス表示の処理を説明するフローチャートである。
【図２９】レイヤの追加の処理を説明するフローチャートである。
【図３０】レイヤの追加の処理を説明するフローチャートである。
【図３１】ラインの追加の処理を説明するフローチャートである。
【図３２】１つ前のレイヤへの戻りの処理を説明するフローチャートである。
【図３３】集約モードの表示の処理を説明するフローチャートである。
【図３４】出力部の表示部に表示される表示例を示す図である。
【図３５】出力部の表示部に表示される表示例を示す図である。
【図３６】出力部の表示部に表示される表示例を示す図である。
【図３７】出力部の表示部に表示される表示例を示す図である。
【図３８】出力部の表示部に表示される表示例を示す図である。
【図３９】出力部の表示部に表示される表示例を示す図である。
【図４０】出力部の表示部に表示される表示例を示す図である。
【図４１】出力部の表示部に表示される表示例を示す図である。
【図４２】出力部の表示部に表示される表示例を示す図である。
【図４３】出力部の表示部に表示される表示例を示す図である。
【図４４】出力部の表示部に表示される表示例を示す図である。
【図４５】出力部の表示部に表示される表示例を示す図である。
【図４６】出力部の表示部に表示される表示例を示す図である。
【図４７】出力部の表示部に表示される表示例を示す図である。
【図４８】出力部の表示部に表示される表示例を示す図である。
【図４９】出力部の表示部に表示される表示例を示す図である。
【図５０】出力部の表示部に表示される表示例を示す図である。
【図５１】プログラムを実行するパーソナルコンピュータの機能の構成の他の例を示すブロック図である。
【図５２】出力部の表示部に表示される表示例を示す図である。
【図５３】派生コンテンツの検索および表示方式の指定の処理の例を説明するフローチャートである。
【図５４】プログラムを実行するパーソナルコンピュータの機能の構成のさらに他の例を示すブロック図である。
【図５５】メタデータの例を示す図である。
【図５６】類似度の例を示す図である。
【図５７】派生コンテンツの検索および表示方式の指定の処理の他の例を説明するフローチャートである。
【図５８】プログラムを実行するパーソナルコンピュータの機能の構成のさらに他の例を示すブロック図である。
【図５９】嗜好情報をベクトルで表現した嗜好ベクトルの例を示す図である。
【図６０】類似度の例を示す図である。
【図６１】派生コンテンツの検索および表示方式の指定の処理のさらに他の例を説明するフローチャートである。
【図６２】プログラムを実行するパーソナルコンピュータの機能の構成のさらに他の例を示すブロック図である。
【図６３】評価の例を示す図である。
【図６４】出力部の表示部に表示される表示例を示す図である。
【図６５】候補コンテンツの選択および表示方式の指定の処理の例を説明するフローチャートである。
【図６６】プログラムを実行するパーソナルコンピュータの機能の構成のさらに他の例を示すブロック図である。
【図６７】メタデータの例を示す図である。
【図６８】メタデータの例を示す図である。
【図６９】メタデータの例を示す図である。
【図７０】出力部の表示部に表示される表示例を示す図である。
【図７１】出力部の表示部に表示される表示例を示す図である。
【図７２】派生コンテンツの選択および表示方式の指定の処理を説明するフローチャートである。
【図７３】プログラムを実行するパーソナルコンピュータの機能の構成のさらに他の例を示すブロック図である。
【図７４】メタデータの例を示す図である。
【図７５】コサイン距離の例を示す図である。
【図７６】出力部の表示部に表示される表示例を示す図である。
【図７７】出力部の表示部に表示される表示例を示す図である。
【図７８】派生コンテンツの検索および表示方式の指定の処理のさらに他の例を説明するフローチャートである。
【図７９】プログラムを実行するパーソナルコンピュータの機能の構成のさらに他の例を示すブロック図である。
【図８０】順に選択された派生元コンテンツと、派生元コンテンツを結ぶメタデータとの例を示す図である。
【図８１】検索履歴の例を示す図である。
【図８２】メタデータの例を示す図である。
【図８３】繋がれたコンテンツの例を示す図である。
【図８４】出力部の表示部に表示される表示例を示す図である。
【図８５】派生コンテンツの検索の処理を説明するフローチャートである。
【図８６】派生コンテンツの表示の処理を説明するフローチャートである。
【図８７】プログラムを実行するパーソナルコンピュータの機能の構成のさらに他の例を示すブロック図である。
【図８８】ベクトルである嗜好情報の例を示す図である。
【図８９】嗜好情報の記録の処理を説明するフローチャートである。
【図９０】プログラムを実行するパーソナルコンピュータの機能の構成のさらに他の例を示すブロック図である。
【図９１】メタデータの例を示す図である。
【図９２】出力部の表示部に表示される表示例を示す図である。
【図９３】出力部の表示部に表示される表示例を示す図である。
【図９４】派生コンテンツの絞り込みの処理を説明するフローチャートである。
【符号の説明】
【０５５０】
１１  CPU，  １２  ROM，  １３  RAM，  １６  入力部，  １７  出力部，  １８  ハードディスクドライブ，  １９  通信部，  ２１  リムーバブルメディア，  ３１  表示部，  ３２  スピーカ，  ５１  入力制御部，  ５２  モード決定部，  ５３  モデルパラメータ決定部，  ５４  ３次元モデル生成部，  ５５  表示制御部，  ５６  ジャンル別コンテンツ選択部，  ５７  派生コンテンツ検索部，  ５８  履歴記憶部，  ５９  再生部，  ６０  通信制御部，  ６１  メタデータデータベース，  ６２  お気に入りデータベース，  ６３  コンテンツデータベース，  ７１  視点指示部，  ７２  モデルひな形データ，  ７３  描画部，  ７４  カテゴリ選択部，  ７５  派生コンテンツ検索履歴記憶部，  ７６  派生元コンテンツ選択履歴記憶部，  １０１  フォーカス位置決定部，  １０２  レイヤ配置決定部，  １０３  透明度決定部，  １０４  トップページモデルパラメータ決定部，  １０５  派生検索モデルパラメータ決定部，  １０６  集約モデルパラメータ決定部，  １０７  モデルパラメータ記憶部，  １２１  派生元モデル配置決定部，  １２２  派生モデル構成配置決定部，  １２３  詳細情報モデル配置決定部，  １２４  動画像モデル配置決定部，  ２０１  派生コンテンツ視聴情報取得部，  ２０２  視聴情報データベース，  ２０３  派生コンテンツ表示方式指示部，  ２４１  類似度算出部，  ２４２  派生コンテンツ表示方式指示部，  ２６１  類似度算出部，  ２６２  使用者嗜好情報データベース，  ２６３  派生コンテンツ表示方式指示部，  ２８１  派生元コンテンツ視聴使用者情報取得部，  ２８２  使用者視聴情報データベース，  ２８３  使用者視聴コンテンツ情報取得部，  ２８４  候補コンテンツ選択基準算出部，  ２８５  候補コンテンツ選択部，  ２８６  候補コンテンツメタデータ取得部，  ２８７  候補コンテンツ表示方法指定部，  ３０１  派生元コンテンツメタデータ取得部，  ３０２  他ドメイン派生コンテンツ選択部，  ３０３  他ドメインコンテンツメタデータデータベース，  ３０４  派生コンテンツ表示方式指定部，  ３０５  他ドメインコンテンツデータベース，  ３２１  カテゴリ選択部，  ３４１  ライン並び順算出部，  ３４２  派生コンテンツ表示方式指示部，  ３６１  メタデータリスト取得部，  ３６２  検索履歴データベース，  ３６３  コンテンツ群選択部，  ３８１  派生コンテンツ検索部，  ３８２  嗜好情報データベース，  ３９１  カテゴリ選択部，  ４０１  絞り込み条件入力部，  ４０２  絞り込み選択部
【図１】
2008197924.tif 000005
【図２】
2008197924.tif 000006
【図３】
2008197924.tif 000007
【図４】
2008197924.tif 000008
【図５】
2008197924.tif 000009
【図６】
2008197924.tif 000010
【図７】
2008197924.tif 000011
【図８】
2008197924.tif 000012
【図９】
2008197924.tif 000013
【図１０】
2008197924.tif 000014
【図１１】
2008197924.tif 000015
【図１２】
2008197924.tif 000016
【図１３】
2008197924.tif 000017
【図１４】
2008197924.tif 000018
【図１５】
2008197924.tif 000019
【図１６】
2008197924.tif 000020
【図１７】
2008197924.tif 000021
【図１８】
2008197924.tif 000022
【図１９】
2008197924.tif 000023
【図２０】
2008197924.tif 000024
【図２１】
2008197924.tif 000025
【図２２】
2008197924.tif 000026
【図２３】
2008197924.tif 000027
【図２４】
2008197924.tif 000028
【図２５】
2008197924.tif 000029
【図２６】
2008197924.tif 000030
【図２７】
2008197924.tif 000031
【図２８】
2008197924.tif 000032
【図２９】
2008197924.tif 000033
【図３０】
2008197924.tif 000034
【図３１】
2008197924.tif 000035
【図３２】
2008197924.tif 000036
【図３３】
2008197924.tif 000037
【図３４】
2008197924.tif 000038
【図３５】
2008197924.tif 000039
【図３６】
2008197924.tif 000040
【図３７】
2008197924.tif 000041
【図３８】
2008197924.tif 000042
【図３９】
2008197924.tif 000043
【図４０】
2008197924.tif 000044
【図４１】
2008197924.tif 000045
【図４２】
2008197924.tif 000046
【図４３】
2008197924.tif 000047
【図４４】
2008197924.tif 000048
【図４５】
2008197924.tif 000049
【図４６】
2008197924.tif 000050
【図４７】
2008197924.tif 000051
【図４８】
2008197924.tif 000052
【図４９】
2008197924.tif 000053
【図５０】
2008197924.tif 000054
【図５１】
2008197924.tif 000055
【図５２】
2008197924.tif 000056
【図５３】
2008197924.tif 000057
【図５４】
2008197924.tif 000058
【図５５】
2008197924.tif 000059
【図５６】
2008197924.tif 000060
【図５７】
2008197924.tif 000061
【図５８】
2008197924.tif 000062
【図５９】
2008197924.tif 000063
【図６０】
2008197924.tif 000064
【図６１】
2008197924.tif 000065
【図６２】
2008197924.tif 000066
【図６３】
2008197924.tif 000067
【図６４】
2008197924.tif 000068
【図６５】
2008197924.tif 000069
【図６６】
2008197924.tif 000070
【図６７】
2008197924.tif 000071
【図６８】
2008197924.tif 000072
【図６９】
2008197924.tif 000073
【図７０】
2008197924.tif 000074
【図７１】
2008197924.tif 000075
【図７２】
2008197924.tif 000076
【図７３】
2008197924.tif 000077
【図７４】
2008197924.tif 000078
【図７５】
2008197924.tif 000079
【図７６】
2008197924.tif 000080
【図７７】
2008197924.tif 000081
【図７８】
2008197924.tif 000082
【図７９】
2008197924.tif 000083
【図８０】
2008197924.tif 000084
【図８１】
2008197924.tif 000085
【図８２】
2008197924.tif 000086
【図８３】
2008197924.tif 000087
【図８４】
2008197924.tif 000088
【図８５】
2008197924.tif 000089
【図８６】
2008197924.tif 000090
【図８７】
2008197924.tif 000091
【図８８】
2008197924.tif 000092
【図８９】
2008197924.tif 000093
【図９０】
2008197924.tif 000094
【図９１】
2008197924.tif 000095
【図９２】
2008197924.tif 000096
【図９３】
2008197924.tif 000097
【図９４】
2008197924.tif 000098